(57)【特許請求の範囲】
【請求項１】
ユーザ装置（ＵＥ）によって行われる無線通信のための方法であって、
サービス提供基地局からのサブフレームの送信中に干渉信号を送信するようにスケジューリングされた近隣基地局を識別することと、
前記干渉信号に関してプリコーダリソースバンドリングが使用されるかどうかを評価することと、ここにおいて、前記評価することは、前記ＵＥが１つ以上の干渉信号に関するプリコーダリソースバンドリングの存在を説明すべきか又は１つ以上の干渉信号に関するプリコーダリソースバンドリングを無視すべきかどうかを示す表示に関して前記サービス提供基地局又は前記近隣基地局のうちの少なくとも１つからの信号を評価することを備える、
前記評価に応じて前記サブフレームに関する干渉除去／干渉抑圧（ＩＣ／ＩＳ）動作を修正することと、
を備え、
前記評価することは、前記近隣基地局の通信がプリコーダリソースバンドリングを含む尤度を決定することを備える、ユーザ装置（ＵＥ）によって行われる無線通信のための方法。
【請求項２】
前記評価することは、前記干渉信号内にプリコーダリソースバンドリングが存在することを示す前記サービス提供基地局からの表示が存在しない場合にプリコーダリソースバンドリングを無視することを備える請求項１に記載の方法。
【請求項３】
前記評価することは、
前記近隣基地局から信号を受信することと、
前記受信された信号の隣接する物理的リソースブロック（ＰＲＢ）又は隣接するサブフレームのうちの１つ以上に関するチャネル特性を推定することと、
チャネル推定値の差がスレショルドを下回るときにプリコーダリソースバンドリングが存在すると決定することと、
を備える請求項１に記載の方法。
【請求項４】
前記スレショルドは、前記隣接するＰＲＢ又は隣接するサブフレームに対する前記受信された信号のリソースブロックグループ（ＲＢＧ）境界の位置に基づいて２つ以上のスレショルドから選択される請求項３に記載の方法。
【請求項５】
バンドリングされるべきであると決定された前記受信された信号の１つ以上のプリコーディングリソースブロックグループ（ＰＲＧ）のチャネル特性を再推定することによって前記チャネル特性の前記チャネル推定値を精巧にすることをさらに備える請求項３に記載の方法。
【請求項６】
前記受信された信号のプリコーディングリソースブロックグループ（ＰＲＧ）内に拡張物理ダウンリンク制御チャネル（ＥＰＤＣＣＨ）情報が存在するかどうかを決定することと、
前記ＥＰＤＣＣＨに対応する１つ以上のＰＲＢ対を前記推定することから除外することと、
をさらに備える請求項３に記載の方法。
【請求項７】
前記表示は、
１つ以上の干渉信号に関してプリコーダリソースバンドリングが存在しないことを示す表示、
前記１つ以上の干渉信号のうちの少なくとも過半数に関してプリコーダリソースバンドリングが存在することを示す表示、
２つ以上のサブフレーム内にプリコーダリソースバンドリングが存在することを示す表示、
サブフレームのすべてのプリコーディングリソースブロックグループ（ＰＲＧ）内にプリコーダリソースバンドリングが存在することを示す表示、又は
サブフレームのすべてのプリコーディングリソースブロックグループ（ＰＲＧ）内にプリコーダリソースバンドリングが存在し、及び、ＰＲＧ内において、ランク、プリコーダ、電力レベル、又は変調順序のうちの１つ以上が同一であることを示す表示、
のうちの１つ以上を備える請求項１に記載の方法。
【請求項８】
前記表示は、１つ以上の仮想セル識別（ＶＣＩＤ）のうちの各々に関する１ビットの表示を備え、前記ＵＥが前記１つ以上のＶＣＩＤのうちの１つを用いて信号に関するプリコーダリソースバンドリングの前記存在を仮定すべきかどうかを示す請求項１に記載の方法。
【請求項９】
前記ＵＥは、調整されたマルチポイント（ＣｏＭＰ）送信に関する構成を含み、前記表示は、干渉信号が前記ＵＥ  ＣｏＭＰ構成と同じ構成を有することを示す表示を備える請求項１に記載の方法。
【請求項１０】
前記表示は、前記ＵＥがプリコーダリソースバンドリングの前記存在を仮定すべき対象となるリソースの部分組を備える請求項１に記載の方法。
【請求項１１】
前記評価することは、前記近隣基地局の１つ以上の識別された変調順序又は１つ以上の識別されたタイプの送信に関してプリコーダリソースバンドリングが存在することを示す表示を前記サービス提供基地局又は前記近隣基地局のうちの少なくとも１つから受信することを備える、または、
前記評価することは、前記サービス提供基地局から物理ダウンリンク共有チャネル（ＰＤＳＣＨ）許可又は拡張ＰＤＣＣＨ（ＥＰＤＣＣＨ）のうちの少なくとも１つでプリコーダリソースバンドリングの表示を受信することを備える、または、
前記サブフレームに関するＩＣ／ＩＳ動作を修正することは、復調−基準信号（ＤＭ−ＲＳ）に基づく物理ダウンリンク共有チャネル（ＰＤＳＣＨ）信号の除去をエンハンスすることを備える請求項１に記載の方法。
【請求項１２】
請求項１から請求項１１のうちの何れか一項のステップを行うように配置された手段を備える、ユーザ装置（ＵＥ）によって行われる無線通信のための装置。
【請求項１３】
ユーザ装置（ＵＥ）によって無線通信を行うためのコンピュータプログラムであって、請求項１から請求項１１の何れか一項のステップを行うようにプロセッサによって実行可能である命令を備えるコンピュータプログラム。
【発明の詳細な説明】
【技術分野】
【０００１】
相互参照
［０００１］本特許出願は、“PRECODER RESOURCE BUNDLING INFORMATION FOR INTERFERENCE CANCELLATION IN LTE”（ＬＴＥにおける干渉除去のためのプリコーダリソースバンドリング情報）という題名を有し、これの譲受人に対して譲渡されており、ここにおける引用によって明示でここに組み入れられている、Ｇａａｌ、等による米国仮特許出願第６１／８１１，６３３号（出願日：２０１３年４月１２日）に対する優先権を主張するものである。
【背景技術】
【０００２】
［０００２］様々な通信サービス、例えば、音声、映像、パケットデータ、メッセージング、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。
【０００３】
［０００３］無線通信ネットワークは、幾つかのモバイルデバイスに関する通信をサポートすることができる幾つかの基地局を含むことができる。幾つかの技術においては、モバイルデバイスは、アクセス端末、ユーザ装置（ＵＥ）、移動局、等と呼ぶことができる。モバイルデバイスは、ダウンリンク（ＤＬ）送信及びアップリンク（ＵＬ）送信を介して基地局と通信することができる。ダウンリンク（又は順方向リンク）は、基地局からモバイルデバイスへの通信リンクを意味し、アップリンク（又は逆方向リンク）は、モバイルデバイスから基地局への通信リンクを意味する。各基地局は、カバレッジ範囲を有し、それは、セルのカバレッジエリアと呼ぶことができる。
【０００４】
［０００４］セルラー配備では、マクロセルは、広範な地域、例えば、農村、郊外、及び都市部、にサービスを提供するセルを説明するために使用される。それよりも小さいセルは、家庭、小企業、建物、又はその他の限られた区域において配備することができる。これらの小さいセルは、“ピコセル”又は“フェムトセル”と呼ぶことができる。ピコセル及びフェムトセルは、ブロードバンド接続を介してサービスプロバイダのネットワークにしばしば接続される。３ＧＰＰ用語では、これらのセルは、ＵＭＴＳ（ＷＣＤＭＡ（登録商標）、又は高速パケットアクセス（ＨＳＰＡ））に関してはホームＮｏｄｅＢ（ＨＮＢ）、ＬＴＥ／ＬＴＥ−Ａネットワークに関してはホームｅＮｏｄｅＢ（ＨｅＮＢ）と呼ぶことができる。幾つかの小さいセルは、そのセルとの関連性を有するＵＥによるアクセスを提供し、幾つかの配備においては、小さいセルの１つ以上の集まりが、特定のエリア又は建物（例えば、公園、ショッピングモール、等）内のＵＥによるアクセスを提供することができる。幾つかの小さいセルは、クローズド加入者グループ（ＣＳＧ）セルと時々呼ばれる制限されたアクセスセルであることができる。ＵＥとセルとの間で特定の関連性を有さない１つ以上のプロバイダネットワークに関連するＵＥにアクセスを提供するセル（例えば、マクロセル、ピコセル、フェムトセル、等）は、オープンアクセスセルと呼ぶことができる。
【０００５】
［０００５］小さいセルは、典型的には、マクロセルよりも低い電力で送信する一方で、小さいセルからの信号は、マクロセルから受信された信号と比較して相対的に高い信号強度でＵＥにおいて受信されることがある。例えば、あるＵＥがマクロセルに関してはセルの縁に位置しているが、小さいセルのリモートラジオヘッド（ｒｅｍｏｔｅ  ｒａｄｉｏ  ｈｅａｄ）（ＲＲＨ）の相対的に近くに位置している場合は、そのＵＥにおいて受信される小さいセルの信号は、マクロセルから受信される信号と同じくらい強いか又はより強いことがある。ＵＥが小さいセルではなくマクロセルと通信中である例では、ＵＥは、小さいセルの信号からの干渉に起因してマクロセルとの通信リンクを確立するためにマクロセルからの該当する信号を見つけ出して復号するのが困難であることがある。同様に、マクロセルからの信号が、小さいセルからの信号と比較して相対的に高い強度でＵＥにおいて受信されることがある。幾つかの該例においては、ＵＥが小さいセルと通信を確立するのが望ましいことがあり、ＵＥはマクロセルの信号からの干渉に起因して小さいセルとの通信リンクを確立するために小さいセルからの該当する信号を見つけ出して復号するのが困難であることがある。該干渉を低減するか又は除去するために様々な干渉除去／抑圧（ＩＣ／ＩＳ）技法を使用することができる。
【発明の概要】
【０００６】
［０００６］説明される特徴は、概して、近隣セルの送信の干渉除去／干渉抑圧（ＩＣ／ＩＳ）のための１つ以上の改良されたシステム、方法、及び／又は装置に関するものである。ユーザ装置（ＵＥ）は、例えば、基地局からダウンリンク送信を受信し、さらに、１つ以上の近隣局から干渉信号を受信することもある。ＵＥは、干渉信号に関してＩＣ／ＩＳ動作を行うように構成することができる。ＩＣ／ＩＳ動作をエンハンスするために、ＵＥは、干渉信号に関してリソースバンドリング（ｂｕｎｄｌｉｎｇ）が使用されるかどうかを評価することができる。ＵＥは、その評価に応じて１つ以上のサブフレームに関するＩＣ／ＩＳ動作を修正することができる。ＩＣ／ＩＳ動作を修正することは、例えば、近隣基地局からの干渉信号を除去するためにそれらの近隣基地局においてバンドリングに関連する情報を使用することを含むことができる。
【０００７】
［０００７］一態様においては、ユーザ装置（ＵＥ）によって行われる無線通信のための方法が説明される。その方法は、概して、サービス提供基地局からのサブフレームの送信中に干渉信号を送信するようにスケジューリングされた近隣基地局を識別することと、干渉信号に関してプリコーダリソースバンドリングが使用されるかどうかを評価することと、その評価に応じてサブフレームに関して干渉除去／干渉抑圧（ＩＣ／ＩＳ）を修正することと、を含む。プリコーダリソースバンドリングは、例えば、周波数に関する物理的リソースブロック（ＰＲＢ）バンドリング又は時間に関するサブフレームバンドリングを含むことができる。幾つかの実施形態においては、評価することは、干渉信号内にプリコーダリソースバンドリングが存在することを示すサービス提供基地局からの表示がない場合にプリコーダリソースバンドリングを無視することを含むことができる。幾つかの実施形態においては、サブフレームに関するＩＣ／ＩＳ動作を修正することは、復調−基準信号（ＤＭ−ＲＳ）に基づく物理ダウンリンク共有チャネル（ＰＤＳＣＨ）信号の除去をエンハンスすることを含む。
【０００８】
［０００８］さらに加えて又は代替として、評価することは、近隣基地局の通信がプリコーダリソースバンドリングを含む尤度を決定することを含むことができる。該決定は、幾つかの実施形態においては、近隣基地局から信号を受信することと、受信された信号の隣接するＰＲＢ又は隣接するサブフレームのうちの１つ以上に関するチャネル特性を推定することと、チャネル推定値の差がスレショルドを下回るときにプリコーダリソースバンドリングが存在すると決定することと、を含むことができる。スレショルドは、例えば、隣接するＰＲＢ又は隣接するサブフレームに対する受信された信号のリソースブロックグループ（ＲＢＧ）境界の位置に基づいて２つ以上のスレショルドから選択することができる。幾つかの実施形態においては、その方法は、バンドリングされるべきであると決定された受信された信号の１つ以上のプリコーディングリソースブロックグループ（ＰＲＧ）のチャネル特性を再推定することによってチャネル特性の推定値を精巧にすることをさらに含む。さらに加えて又は代替として、その方法は、受信された信号のプリコーディングリソースブロックグループ（ＰＲＧ）内に拡張物理ダウンリンク制御チャネル（ＥＰＤＣＣＨ）情報が存在するかどうかを決定することと、ＥＰＤＣＣＨに対応する１つ以上のＰＲＢ対を推定から除外することと、をさらに含むことができる。
【０００９】
［０００９］幾つかの実施形態においては、評価することは、ＵＥが１つ以上の干渉信号に関してプリコーダリソースバンドリングの存在を説明すべきかどうか又は１つ以上の干渉信号に関してプリコーダリソースバンドリングを無視すべきであるかどうかを示す表示に関してサービス提供基地局又は近隣基地局のうちの少なくとも１つからの信号を評価することを含むことができる。その表示は、例えば、１つ以上の干渉信号に関してプリコーダリソースバンドリングが存在しないことを示す表示、１つ以上の干渉信号のうちの少なくとも過半数に関してプリコーダリソースバンドリングが存在することを示す表示、２つ以上のサブフレーム内にプリコーダリソースバンドリングが存在することを示す表示、又は、サブフレームのすべてのプリコーダリソースバブロックグループ内にプリコーダリソースバンドリングが存在することを示す表示のうちの１つ以上を含むことができる。幾つかの実施形態においては、その表示は、サブフレームのすべてのプリコーディングリソースブロックグループ（ＰＲＧ）内にプリコーダリソースバンドリングが存在すること、及び、ＰＲＧ内において、ランク、プリコーダ、電力レベル、又は変調順序のうちの１つ以上が同一であることを示す表示を含むことができる。その表示は、例えば、１つ以上の仮想セル識別（ＶＣＩＤ）のうちの各々に関する１ビットの表示を含むことができ、ＵＥが１つ以上のＶＣＩＤのうちの１つを用いて信号に関するプリコーダリソースバンドリングの存在を仮定すべきであるかどうかを示すことができる。幾つかの実施形態においては、ＵＥは、調整されたマルチポイント（ＣｏＭＰ）送信のために構成することができ、及び、その表示は、干渉信号がＵＥ  ＣｏＭＰ構成と同じ構成を有することを示す表示を含むことができる。その他の実施形態においては、その表示は、ＵＥがプリコーダリソースバンドリングの存在を仮定すべき対象となるリソースの部分組を含むことができる。
【００１０】
［００１０］幾つかの実施形態においては、評価することは、近隣基地局の１つ以上の識別された変調順序に関してプリコーダリソースバンドリングが存在することを示す表示をサービス提供基地局又は近隣基地局のうちの少なくとも１つから受信すること、又は、近隣基地局の送信の１つ以上の識別されたタイプに関してプリコーダリソースバンドリングが存在しないことを示す表示をサービス提供基地局又は近隣基地局のうちの少なくとも１つから受信すること、のうちの１つ以上を含むことができる。評価することは、例えば、サービス提供基地局から物理ダウンリンク共有チャネル（ＰＤＳＣＨ）許可又は拡張ＰＤＣＣＨ（ＥＰＤＣＣＨ）のうちの少なくとも１つ内のプリコーダリソースバンドリングの表示を受信することを含むことができる。該シグナリングは、例えば、リソースの部分組のうちのいずれがバンドリングされるかを示すビットマップを含むことができる。
【００１１】
［００１１］他の態様においては、ＵＥによって行われる無線通信のための装置が説明される。その装置は、概して、サービス提供基地局からのサブフレームの送信中に干渉信号を送信するようにスケジューリングされた近隣基地局を識別するための手段と、干渉信号に関してプリコーダリソースバンドリングが使用されるかどうかを評価するための手段と、その評価に応じてサブフレームに関して干渉除去／干渉抑圧（ＩＣ／ＩＳ）を修正するための手段と、を含む。プリコーダリソースバンドリングは、例えば、周波数に関する物理的リソースブロック（ＰＲＢ）バンドリング又は時間に関するサブフレームバンドリングを含むことができる。サブフレームに関するＩＣ／ＩＳ動作を修正するための手段は、例えば、復調−基準信号（ＤＭ−ＲＳ）に基づく物理ダウンリンク共有チャネル（ＰＤＳＣＨ）信号の除去をエンハンスするための手段を含むことができる。
【００１２】
［００１２］幾つかの実施形態においては、評価するための手段は、干渉信号内にプリコーダリソースバンドリングが存在することを示すサービス提供基地局からの表示が存在しない場合にプリコーダリソースバンドリングを無視するための手段を含むことができる。その他の実施形態においては、評価するための手段は、近隣基地局の通信がプリコーダリソースバンドリングを含む尤度を決定するための手段を含むことができる。その他の実施形態においては、評価するための手段は、近隣基地局から信号を受信するための手段と、受信された信号の隣接するＰＲＢ又は隣接するサブフレームのうちの１つ以上に関するチャネル特性を推定するための手段と、チャネル推定値の差がスレショルドを下回るときにプリコーダリソースバンドリングが存在すると決定するための手段と、を含むことができる。スレショルドは、例えば、隣接するＰＲＢ又は隣接するサブフレームに対する受信された信号のリソースブロックグループ（ＲＢＧ）境界の位置に基づいて２つ以上のスレショルドから選択することができる。幾つかの実施形態においては、その装置は、バンドリングされるべきであると決定された受信された信号の１つ以上のプリコーディングリソースブロックグループ（ＰＲＧ）のチャネル特性を再推定することによってチャネル特性の推定値を精巧にするための手段をさらに含む。その他の構成においては、その装置は、拡張物理ダウンリンク制御チャネル（ＥＰＤＣＣＨ）情報が受信された信号のプリコーディングリソースブロックグループ（ＰＲＧ）内に存在するかどうかを決定するための手段と、ＥＰＤＣＣＨに対応する１つ以上のＰＲＢ対を推定から除外するための手段と、をさらに含む。
【００１３】
［００１３］幾つかの実施形態においては、評価するための手段は、ＵＥが１つ以上の干渉信号に関してプリコーダリソースバンドリングの存在を説明すべきかどうか又は１つ以上の干渉信号に関してプリコーダリソースバンドリングを無視すべきであるかどうかを示す表示に関してサービス提供基地局又は近隣基地局のうちの少なくとも１つからの信号を評価するための手段を含むことができる。その表示は、例えば、１つ以上の干渉信号に関してプリコーダリソースバンドリングが存在しないことを示す表示、１つ以上の干渉信号のうちの少なくとも過半数に関してプリコーダリソースバンドリングが存在することを示す表示、２つ以上のサブフレーム内にプリコーダリソースバンドリングが存在することを示す表示、又は、サブフレームのすべてのプリコーディングリソースブロックグループ（ＰＲＧ）内にプリコーダリソースバンドリングが存在することを示す表示のうちの１つ以上を含むことができる。幾つかの実施形態においては、その表示は、サブフレームのすべてのプリコーディングリソースブロックグループ（ＰＲＧ）内にプリコーダリソースバンドリングが存在すること、及び、ＰＲＧ内において、ランク、プリコーダ、電力レベル、又は変調順序のうちの１つ以上が同一であることを示す表示を含むことができる。さらに加えて又は代替として、その表示は、１つ以上の仮想セル識別（ＶＣＩＤ）のうちの各々に関する１ビットの表示を含むことができ、ＵＥ］が１つ以上のＶＣＩＤのうちの１つを用いて信号に関するプリコーダリソースバンドリングの存在を仮定すべきかどうかを示すことができる。幾つかの実施形態においては、ＵＥは、調整されたマルチポイント（ＣｏＭＰ）送信のための構成を含むことができ、及び、その表示は、干渉信号がＵＥ  ＣｏＭＰ構成と同じ構成を有することを示す表示を含むことができる。幾つかの実施形態においては、その表示は、ＵＥがプリコーダリソースバンドリングの存在を仮定すべき対象となるリソースの部分組を含むことができる。
【００１４】
［００１４］幾つかの実施形態においては、評価するための手段は、近隣基地局の１つ以上の識別された変調順序に関してプリコーダリソースバンドリングが存在することを示す表示をサービス提供基地局又は近隣基地局のうちの少なくとも１つから受信するための手段を含むことができる。評価するための手段は、幾つかの実施形態においては、近隣基地局の送信の１つ以上の識別されたタイプに関してプリコーダリソースバンドリングが存在しないことを示す表示をサービス提供基地局又は近隣基地局のうちの少なくとも１つから受信するための手段を含むことができる。その他の実施形態においては、評価するための手段は、サービス提供基地局から物理ダウンリンク共有チャネル（ＰＤＳＣＨ）許可又は拡張ＰＤＣＣＨ（ＥＰＤＣＣＨ）のうちの少なくとも１つ内のプリコーダリソースバンドリングの表示を受信するための手段を含むことができる。シグナリングするための手段は、例えば、リソースの部分組のうちのいずれがバンドリングされるかを示すビットマップを含むことができる。
【００１５】
［００１５］他の態様においては、無線通信ＵＥデバイスが開示される。そのデバイスは、概して、少なくとも１つのプロセッサと、プロセッサと結合されたメモリと、を含む。メモリは、サービス提供基地局からのサブフレームの送信中に干渉信号を送信するようにスケジューリングされた近隣基地局を識別すること、干渉信号に関してプリコーダリソースバンドリングが使用されるかどうかを評価すること、及び、評価に応じてサブフレームに関してＩＣ／ＩＳ動作を修正することをプロセッサに行わせるためのプロセッサによって実行可能な命令を具現化することができる。幾つかの実施形態においては、命令は、干渉信号内にプリコーダリソースバンドリングが存在することを示すサービス提供基地局からの表示が存在しない場合にプリコーダリソースバンドリングを無視するためにプロセッサによってさらに実行可能である。
【００１６】
［００１６］幾つかの実施形態においては、命令は、近隣基地局の通信がプリコーダリソースバンドリングを含む尤度を決定するためにプロセッサによってさらに実行可能であることができる。命令は、幾つかの実施形態においては、近隣基地局から信号を受信し、受信された信号の隣接するＰＲＢ又は隣接するサブフレームのうちの１つ以上に関するチャネル特性を推定し、及び、チャネル推定値の差がスレショルドを下回るときにプリコーダリソースバンドリングが存在すると決定するためにプロセッサによってさらに実行可能であることができる。命令は、幾つかの実施形態においては、バンドリングされるべきであると決定された受信された信号の１つ以上のＰＲＧのチャネル特性を再推定することによってチャネル特性の推定値を精巧にするためにプロセッサによってさらに実行可能であることができる。
【００１７】
［００１７］幾つかの実施形態においては、命令は、ＵＥが１つ以上の干渉信号に関してプリコーダリソースバンドリングの存在を説明すべきかどうか又は１つ以上の干渉信号に関してプリコーダリソースバンドリングを無視すべきであるかどうかを示す表示に関してサービス提供基地局又は近隣基地局のうちの少なくとも１つからの信号を評価するためにプロセッサによってさらに実行可能であることができる。その表示は、例えば、１つ以上の干渉信号に関してプリコーダリソースバンドリングが存在しないことを示す表示、１つ以上の干渉信号のうちの少なくとも過半数に関してプリコーダリソースバンドリングが存在することを示す表示、２つ以上のサブフレーム内にプリコーダリソースバンドリングが存在することを示す表示、又は、サブフレームのすべてのプリコーダリソースバブロックグループ（ＰＲＧ）内にプリコーダリソースバンドリングが存在することを示す表示のうちの１つ以上を含むことができる。
【００１８】
［００１８］他の態様においては、ＵＥによって無線通信を行うためのコンピュータプログラム製品が開示される。コンピュータプログラム製品は、概して、サービス提供基地局からのサブフレームの送信中に干渉信号を送信するようにスケジューリングされた近隣基地局を識別し、干渉信号に関してプリコーダリソースバンドリングが使用されるかどうかを評価し、及び、その評価に応じてサブフレームに関して干渉除去／干渉抑圧（ＩＣ／ＩＳ）を修正するためのプロセッサによって実行可能な命令を格納することができる非一時的なコンピュータによって読み取り可能な媒体を含む。
【図面の簡単な説明】
【００１９】
［００１９］以下の図面を参照することによって本発明の性質及び利点に関するさらなる理解を実現することができる。添付される図においては、同様のコンポーネント又は特徴は、同じ参照ラベルを有することができる。さらに、同様のコンポーネントを区別する参照ラベル、ダッシュ及び第２のラベルに従うことによって同じタイプの様々なコンポーネントを区別することができる。明細書において第１の参照ラベルのみが使用される場合でも、説明は、第２の参照ラベルにかかわらず同じ第１の参照ラベルを有する同様のコンポーネントのうちのあらゆる１つに適用可能である。
【図１】［００２０］様々な実施形態による無線通信システムの例を示した図である。
【図２】［００２１］様々な実施形態による典型的なセル及びＵＥと近隣セルとの間における潜在的な干渉を例示した図である。
【図３】［００２２］様々な実施形態による典型的なフレーム及びプリコーダリソースバンドリングの図である。
【図４】［００２３］様々な実施形態による典型的なフレーム及びプリコーダリソースバンドリングの他の図である。
【図５】［００２４］様々な実施形態によるプリコーダリソースバンドリングに基づくＩＣ／ＩＳ動作のための方法のフローチャートである。
【図６】［００２５］様々な実施形態による基地局の例のブロック図である。
【図７】［００２６］様々な実施形態によるＵＥの例のブロック図である。
【図８】［００２７］様々な実施形態によるＩＣ／ＩＳモジュールの例のブロック図である。
【図９】［００２８］様々な実施形態による基地局とモバイルデバイスとを含む無線通信システムの例のブロック図である。
【図１０】［００２９］様々な実施形態によるＩＣ／ＩＳ修正のための方法のフローチャートである。
【図１１】［００３０］様々な実施形態によるＩＣ／ＩＳ修正のための他の方法のフローチャートである。
【図１２】［００３１］様々な実施形態によるＩＣ／ＩＳ修正のための他の方法のフローチャートである。
【発明を実施するための形態】
【００２０】
本開示の様々な態様は、近隣セルの送信の干渉除去／干渉抑圧（ＩＣ／ＩＳ）を提供する。ＵＥは、例えば、基地局からダウンリンク送信を受信し、さらに、１つ以上の近隣基地局から干渉信号を受信することもある。ＵＥは、干渉信号に関するＩＣ／ＩＳ動作を行うように構成することができる。ＩＣ／ＩＳ動作をエンハンスするために、ＵＥは、干渉信号に関してリソースバンドリングが使用されるかどうかを評価することができる。ＵＥは、その評価に応じて１つ以上のサブフレームに関するＩＣ／ＩＳ動作を修正することができる。ＩＣ／ＩＳ動作を修正することは、例えば、近隣基地局からの干渉信号を除去するためにそれらの近隣基地局においてバンドリングに関連する情報を使用することを含むことができる。
【００２１】
［００３３］幾つかの実施形態においては、基地局は、干渉信号に関してリソースバンドリングが使用されるかどうかを評価する際に使用するために及び／又はＩＣ／ＩＳ動作を修正する際に使用するために１つ以上の近隣基地局に関するリソースバンドリングに関連する情報をＵＥに送信することができる。その他の実施形態においては、ＵＥは、干渉信号自体を評価し、干渉信号がリソースバンドリングを使用するかどうかを決定することができる。リソースバンドリングは、例えば、複数の物理的リソースブロック（ＰＲＢ）に関する周波数に関するリソースバンドリング及び／又は複数のサブフレームに関する時間に関するリソースバンドリングを含むことができる。
【００２２】
［００３４］ここにおいて説明される技法は、様々な無線通信システム、例えば、セルラー無線システム、ピア・ツー・ピア無線通信、ワイヤレスローカルエリアネットワーク（ＷＬＡＮ）、アドホックネットワーク、衛星通信システム、及びその他のシステム、に関して使用することができる。用語“システム”及び“ネットワーク”は、互換可能な形でしばしば使用される。これらの無線通信システムは、様々な無線通信技術、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一周波数ＦＤＭＡ（ＳＣ−ＦＤＭＡ）、及び／又はその他の無線技術、を採用することができる。概して、無線通信は、無線アクセス技術（ＲＡＴ）と呼ばれる１つ以上の無線通信技術の標準化された実装に従って行われる。無線アクセス技術を実装する無線通信システム又はネットワークは、無線アクセスネットワーク（ＲＡＮ）と呼ぶことができる。
【００２３】
［００３５］ＣＤＭＡ技法を採用する無線アクセス技術の例は、ＣＤＭＡ２０００、ユニバーサル地上無線アクセス（ＵＴＲＡ）、等を含む。ＣＤＭＡ２０００は、ＩＳ−２０００規格、ＩＳ−９５規格及びＩＳ−８５６規格を網羅する。ＩＳ−２０００リリース０及びＡは、ＣＤＭＡ２０００  １Ｘ、１Ｘ、等と共通して呼ばれる。ＩＳ−８５６（ＴＩＡ−８５６）は、ＣＤＭＡ２０００  １ｘＥＶ−ＤＯ、高速パケットデータ（ＨＲＰＤ）、等と共通して呼ばれる。ＵＴＲＡは、広帯域ＣＤＭＡ（ＷＣＤＭＡ）と、ＣＤＭＡのその他の変形と、を含む。ＴＤＭＡシステムの例は、グローバル移動体通信システム（ＧＳＭ（登録商標））、の様々な実装を含む。ＯＦＤＭ及び／又はＯＦＤＭＡを採用する無線アクセス技術の例は、ウルトラモバイルブロードバンド（Ｕｌｔｒａ  Ｍｏｂｉｌｅ  Ｂｒｏａｄｂａｎｄ）（ＵＭＢ）、エボルブド（Ｅｖｏｌｖｅｄ）ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等を含む。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、Ｅ−ＵＴＲＡを使用するＵＭＴＳの新しいリリース版である。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述される。ＣＤＭＡ２０００及びＵＭＢは、“第３世代パートナーシッププロジェクト２”（３ＧＰＰ２）という名称の組織からの文書において記述される。ここにおいて説明される技法は、上述されるシステム及び無線技術、及びその他のシステム及び無線技術のために用いることができる。
【００２４】
［００３６］従って、以下の説明は、例を提供するものであり、請求項において示される範囲、適用可能性、又は構成を制限するものではない。本開示の精神及び適用範囲を逸脱することなしに説明される要素の機能及び配置の変更を行うことができる。様々な実施形態は、様々な手順又はコンポーネントを適宜省略、置換、又は追加することができる。例えば、説明される方法は、説明される順序と異なるそれで実行することができ、及び、様々なステップを追加、省略、又は結合することができる。さらに、幾つかの実施形態に関して説明される特徴は、その他の実施形態において結合することができる。
【００２５】
［００３７］最初に図１を参照し、図は、無線通信システム１００の例を示す。無線通信システム１００は、基地局（又はセル）１０５と、ユーザ装置（ＵＥ）１１５と、コアネットワーク１３０と、を含む。基地局１０５は、様々な実施形態においてはコアネットワーク１３０又は基地局１０５の一部であることができる基地局コントローラ（示されていない）の制御下でＵＥ１１５と通信することができる。基地局１０５は、バックホールリンク１３２を通じてコアネットワーク１３０と制御情報及び／又はユーザデータを通信することができる。バックホールリンク１３２は、有線のバックホールリンク（例えば、銅、ファイバ、等）及び／又は無線のバックホールリンク（例えば、マイクロ波、等）であることができる。実施形態においては、基地局１０５は、直接又は間接的に、有線又は無線の通信リンクであることができるバックホールリンク１３４を通じて互いに通信することができる。無線通信システム１００は、複数の搬送波（異なる周波数の波形信号）での動作をサポートすることができる。多搬送波送信機は、変調された信号を複数の搬送波で同時に送信することができる。例えば、各通信リンク１２５は、上述される様々な無線技術に従って変調された多搬送波信号であることができる。各々の変調された信号は、異なる搬送波で送信することができ、及び、制御情報（例えば、基準信号、制御チャネル、等）、オーバーヘッド情報、データ、等を搬送することができる。
【００２６】
［００３８］基地局１０５は、１本以上の基地局アンテナを介してデバイス１１５と無線で通信することができる。基地局１０５サイトの各々は、各々のカバレッジエリア１１０に関する通信カバレッジを提供することができる。幾つかの実施形態においては、基地局１０５は、ベーストランシーバ局、無線基地局、アクセスポイント、無線トランシーバ、ベーシックサービスセット（ＢＳＳ）、拡張サービスセット（ＥＳＳ）、ＮｏｄｅＢ、ｅＮｏｄｅＢ（ｅＮＢ）、又はその他の何らかの適切な用語で呼ぶことができる。基地局に関するカバレッジエリア１１０は、カバレッジエリアの一部分（示されていない）のみを成すセクタに分割することができる。無線通信システム１００は、異なるタイプの基地局１０５（例えば、マクロ基地局、ピコ基地局、フェムト基地局、又はミクロ基地局）を含むことができる。異なる技術に関して重なり合うカバレッジエリアが存在することができる。
【００２７】
［００３９］ＵＥ１１５は、無線通信システム１００全体に分散され、各デバイスは、静止型又は移動型であることができる。ＵＥ１１５は、移動局、加入者局、モバイルユニット、加入者ユニット、無線ユニット、リモートユニット、モバイルデバイス、無線デバイス、無線通信デバイス、リモートデバイス、モバイル加入者局、アクセス端末、モバイル端末、無線端末、リモート端末、ハンドセット、ユーザエージェント、ユーザ装置、モバイルクライアント、クライアント、又はその他の何らか適切な用語で当業者によって呼ばれることがある。ＵＥ１１５は、携帯電話、パーソナルデジタルアシスタント（ＰＤＡ）、無線モデム、無線通信デバイス、ハンドヘルドデバイス、タブレットコンピュータ、ラップトップコンピュータ、コードレスフォン、ワイヤレスローカルループ（ＷＬＬ）局、等であることができる。ＵＥは、マクロ基地局、ピコ基地局、フェムト基地局、中継基地局、等と通信することができる。
【００２８】
［００４０］無線通信システム１００において示される通信リンク１２５は、ＵＥ１１５から基地局１０５へのアップリンク（ＵＬ）送信、及び／又は、基地局１０５からＵＥ１１５へのダウンリンク（ＤＬ）送信を含むことができる。ダウンリンク送信は、順方向リンク送信と呼ぶこともでき、アップリンク送信は、逆方向リンク送信と呼ぶこともできる。
【００２９】
［００４１］幾つかの実施形態においては、無線通信システム１００は、ＬＴＥ／ＬＴＥ−Ａネットワークである。ＬＴＥ／ＬＴＥ−Ａネットワークでは、基地局１０５及びＵＥ１１５をそれぞれ表すために用語エボルブドノードＢ（ｅＮＢ）及びユーザ装置（ＵＥ）を概して使用することができる。無線通信システム１００は、異なるタイプのｅＮＢが様々な地理上の地域に関するカバレッジを提供する異種のＬＴＥ／ＬＴＥ−Ａネットワークであることができる。例えば、各基地局１０５は、マクロセル、ピコセル、フェムトセル、又はその他のタイプのセルに関する通信カバレッジを提供することができる。マクロセルは、概して、相対的に大きな地理上のエリア（例えば、半径数キロメートル）を網羅し、ネットワークプロバイダとのサービス加入契約を有するＵＥによる無制限のアクセスを許容することができる。ピコセル及びフェムトセルは、概して、相対的にそれよりも小さい地理上のエリア（例えば、建物、家屋、等）を網羅する。マクロセルに関するｅＮＢは、マクロｅＮＢと呼ぶことができる。ピコセルに関するｅＮＢは、ピコｅＮＢと呼ぶことができ、フェムトセルに関するｅＮＢは、フェムトｅＮＢ又はホームｅＮＢと呼ぶことができる。ｅＮＢは、１つの又は複数の（２つ、３つ、４つ、等）セルをサポートすることができる。
【００３０】
［００４２］ＵＥ１１５は典型的には内部の電源、例えば、小型バッテリ、を使用して動作するため、モバイル性が高い動作を容易にするために、モバイルデバイスの電力消費を軽減するための戦略的なピコセル及びフェムトセルの配備を使用することができる。例えば、フェムトセルは、（例えば、容量制限、帯域幅制限、信号フェージング、信号シャドーイング、等に起因して）本来であれば適切なサービス、さらには何のサービスさえも提供されないエリア内でサービスを提供するために利用することができ、それにより、ＵＥ１１５が探索時間を短縮すること、送信電力を低減させること、送信時間を短縮すること、等を可能にすることができる。従って、ＵＥ１１５が、ピコセル又はフェムトセルによってサービスが提供される場合は、それは、典型的には、サービスを提供するセルの相対的に近くに配置され、ＵＥ１１５が低減された送信電力で通信するのをしばしば可能にする。
【００３１】
［００４３］ＬＴＥ／ＬＴＥ−Ａネットワークアーキテクチャによる無線通信システム１００は、エボルブドパケットシステム（ＥＰＳ）と呼ぶことができる。無線通信システム１００は、１つ以上のＵＥ１１５と、エボルブドＵＭＴＳ地上無線アクセスネットワーク（Ｅ−ＵＴＲＡＮ）と、エボルブドパケットコア（ＥＰＣ）（例えば、コアネットワーク１３０）と、ホーム加入者サーバ（ＨＳＳ）と、オペレータＩＰサービスと、を含むことができる。無線通信システム１００は、その他の無線アクセス技術を用いてその他のアクセスネットワークと相互に接続することができる。例えば、無線通信システム１００は、ＵＴＲＡＮに基づくネットワーク及び／又はＣＤＭＡに基づくネットワークと相互に接続することができる。ＵＥ１１５の移動性及び／又は負荷均衡化をサポートするために、無線通信システム１００は、ソース基地局１０５とターゲット基地局１０５との間でのＵＥ１１５のハンドオーバーをサポートすることができる。無線通信システム１００は、同じＲＡＴの基地局１０５間でのＲＡＴ内ハンドオーバー（例えば、その他のＥ−ＵＴＲＡＮネットワーク）、及び、異なるＲＡＴの基地局１０５間でのＲＡＴ間ハンドオーバー（例えば、Ｅ−ＵＴＲＡＮからＣＤＭＡ、等へ）をサポートすることができる。無線通信システム１００は、パケット交換型サービスを提供することができるが、当業者が簡単に評価するように、本開示全体を通じて提示される様々な概念は、回線型サービスを提供するネットワークに拡大することができる。
【００３２】
［００４４］Ｅ−ＵＴＲＡＮは、基地局１０５を含むことができ、及び、ＵＥ１１５へ向けてのユーザプレーン及び制御プレーンプロトコル終端を提供することができる。基地局１０５のうちのいずれも、バックホールリンク１３２又は１３４（例えば、Ｘ２インタフェース、等）を介してその他の基地局１０５に接続することができる。基地局１０５は、ＵＥ１１５のためにコアネットワーク１３０にアクセスポイントを提供することができる。基地局１０５は、バックホールリンク１３２（例えば、Ｓ１インタフェース、等）によってコアネットワーク１３０に接続することができる。コアネットワーク１３０内の論理的ノードは、１つ以上の移動性管理エンティティ（ＭＭＥ）と、１つ以上のサービングゲートウェイと、１つ以上のパケットデータネットワーク（ＰＤＮ）ゲートウェイ（示されていない）と、を含むことができる。概して、ＭＭＥは、ベアラ及び接続管理を提供することができる。すべてのユーザＩＰパケットを、サービングゲートウェイを通じて転送することができ、それ自体は、ＰＤＮゲートウェイに接続することができる。ＰＤＮゲートウェイは、ＵＥ  ＩＰアドレス割り当て及びその他の機能を提供することができる。ＰＤＮゲートウェイは、ＩＰネットワーク及び／又はオペレータのＩＰサービスに接続することができる。これらの論理的ノードは、別々の物理的ノードにおいて実装することができ、又は、１つ以上を単一の物理的ノードにおいて結合することができる。ＩＰネットワーク／オペレータのＩＰサービスは、インターネット、イントラネット、ＩＰマルチメディアサブシステム（ＩＭＳ）、及び／又はパケット交換型（ＰＳ）ストリーミングサービスを含むことができる。
【００３３】
［００４５］ＵＥ１１５は、例えば、多入力多出力（ＭＩＭＯ）、調整マルチポイント（ＣｏＭＰ）、又はその他の方式、を通じて１つ又は複数の基地局１０５と通信するように構成することができる。ＭＩＭＯ技法は、複数のデータストリームを送信しそれによってデータスループットを向上させるために１つ以上の基地局１０５において複数のアンテナを使用し及び／又はＵＥ１１５において複数のアンテナを使用することができる。各データストリームは、“層”と呼ぶことができ、通信リンクの“ランク”は、通信のために使用される層数を示すことができる。ＣｏＭＰは、ＵＥ１１５に関する全体的な送信品質を向上させるための及びネットワークとスペクトルの利用を増大させるための幾つかの基地局１０５による送信及び受信の動的調整技法を含む。概して、ＣｏＭＰ技法は、ＵＥ１１５に関する制御プレーン及びユーザプレーン通信を調整するために基地局１０５間での通信のためにバックホールリンク１３２及び／又は１３４を利用する。
【００３４】
［００４６］ＭＩＭＯ及び／又はＣｏＭＰを利用する１つ以上の基地局１０５は、マルチアンテナ実装におけるマルチストリーム（又は多層）送信をサポートするためにプリコーディングを採用することができる。プリコーディングは、プリコーディングベクトルにおいて独立した該当する重みが提供されている送信アンテナから複数のデータストリームを放出することを提供する。幾つかの例においては、プリコーディングベクトルは、プリコーディング行列インジケータ（ＰＭＩ）によって定義することができ、従って、受信機出力部においてリンクスループットが向上される。幾つかの例においては、復調基準信号（ＤＭ−ＲＳ）の送信では、プリコーディングベクトルは、明示でシグナリングすることができない。ＭＩＭＯを利用する基地局１０５内では、幾つかの例においては、信号送信経路内の回路は、バンドリングされたリソースブロックにおいて同じプリコーディングを行うために周波数領域内で複数の物理的リソースブロック（ＰＲＢ）に関するプリコーディングを行うことができる。該バンドリングされたリソースブロックは、例えば、周波数領域内の複数の連続するＰＲＢを含むことができる。プリコーダリソースバンドリングは、時間に関するリソースのバンドリングも含むことができ、バンドリングされたリソースは、例えば、複数の連続するサブフレームを含むことができる。
【００３５】
［００４７］様々な開示された実施形態のうちの幾つかに対処することができる通信ネットワークは、層化されたプロトコルスタックにより動作するパケット型ネットワークであることができる。ユーザプレーンにおいては、ベアラ又はパケットデータコンバージェンスプロトコル（ＰＤＣＰ）層における通信は、ＩＰに基づくことができる。無線リンク制御（ＲＬＣ）層は、論理チャネルを通じて通信するためにパケットセグメンテーション及びリアセンブリを行うことができる。メディアアクセス制御（ＭＡＣ）層は、論理チャネルの優先ハンドリング及びトランスポートチャネルへの多重化を行うことができる。ＭＡＣ層は、信頼できるデータ送信を確保するためにＭＡＣ層において再送信を提供するためのハイブリッド自動再送要求（ＨＡＲＱ）技法を使用することもできる。制御プレーンでは、無線リソース制御（ＲＲＣ）プロトコル層は、ＵＥとユーザプレーンデータのために使用されるネットワークとの間のＲＲＣ接続の確立、構成、及び保守を提供することができる。物理層においては、トランスポートチャネルを物理チャネルにマッピングすることができる。
【００３６】
［００４８］ダウンリンク物理チャネルは、物理ブロードキャストチャネル（ＰＢＣＨ）、物理ダウンリンク制御チャネル（ＰＤＣＣＨ）、物理ＨＡＲＱインジケータチャネル（ＰＨＩＣＨ）、及び物理ダウンリンク共有チャネル（ＰＤＳＣＨ）のうちの少なくとも１つを含むことができる。物理制御フォーマットインジケータチャネル（ＰＣＦＩＣＨ）で搬送される制御フォーマットインジケータ（ＣＦＩ）は、特定のダウンリンクサブフレームに関するＰＤＣＣＨ内のシンボル数を示すことができる。アップリンク物理チャネルは、物理アップリンク制御チャネル（ＰＵＣＣＨ）及び物理アップリンク共有チャネル（ＰＵＳＣＨ）のうちの少なくとも１つを含むことができる。ＰＤＣＣＨは、ダウンリンク制御情報（ＤＣＩ）を搬送することができ、それは、ＰＤＳＣＨでのＵＥに関するデータ送信を示すことができ、及び、ＰＵＳＣＨに関してＵＥにＵＬリソース許可を提供することができる。ＵＥは、制御部内の割り当てられたリソースブロックにおいてＰＵＣＣＨで制御情報を送信することができる。ＵＥは、データ部内の割り当てられたリソースブロックにおいてＰＵＳＣＨでデータのみ又はデータと制御情報の両方を送信することができる。
【００３７】
［００４９］ＬＴＥ／ＬＴＥ−Ａは、ダウンリンクでは直交周波数分割多元接続（ＯＦＤＭＡ）を及びアップリンクでは単一搬送波周波数分割多元接続（ＳＣ−ＦＤＭＡ）を利用する。ＯＦＤＭＡ及び／又はＳＣ−ＦＤＭＡ搬送波は、複数（Ｋ）の直交副搬送波に分割することができ、それらは、共通して、トーン、ビン、等とも呼ばれる。各副搬送波は、データとともに変調することができる。隣接する副搬送波間の間隔は、固定することができ、副搬送波の総数（Ｋ）は、システム帯域幅に依存することができる。例えば、Ｋは、７２、１８０、３００、６００、９００、又は１２００に等しいことができ、１．４、３、５、１０、１５、又は２０メガヘルツ（ＭＨｚ）の対応するシステム帯域幅（ガードバンドを有する）に関して１５キロヘルツ（ＫＨｚ）の副搬送波間隔をそれぞれ有する。システム帯域幅は、副帯域に分割することもできる。例えば、副帯域は、１．０８ＭＨｚを網羅することができ、１、２、４、８又は１６の副帯域が存在することができる。搬送波は、（例えば、対のスペクトルリソースを用いる）ＦＤＤ又は（対でないスペクトルリソースを用いる）ＴＤＤ動作を用いて双方向通信を送信することができる。ＦＤＤに関するフレーム構造（例えば、フレーム構造タイプ１）及びＴＤＤに関するフレーム構造（例えば、フレーム構造タイプ２）を定義することができる。
【００３８】
［００５０］図２は、様々な実施形態による適応型干渉除去のための無線通信システム２００の図である。無線通信システム２００は、例えば、図１において例示される無線通信システム１００の態様を例示することができる。無線通信システム２００は、ｅＮＢ１０５−ａと、ｅＮＢ１０５−ｂと、ｅＮＢ１０５−ｃと、ＵＥ１１５−ａと、ＵＥ１１５−ｂと、ＵＥ１１５−ｃと、を含むことができる。ｅＮＢ１０５−ａ、１０５−ｂ、１０５ｃは、図１を参照して説明される基地局１０５のうちの１つ以上の例であることができる。同様に、ＵＥ１１５−ａ、１１５−ｂ、１１５−ｃは、図１を参照して説明されるＵＥ１１５のうちの１つ以上の例であることができる。
【００３９】
［００５１］無線通信システム２００は、サービスを提供するセルの送信２２５及び干渉する送信２３０を例示する。例えば、ＵＥ１１５−ａは、ｅＮＢ１０５−ａによってサービスを提供することができ、サービスを提供するｅＮＢ−ａは、ＵＥ１１５−ａに関するサービスを提供するセルの送信２２５−ａでデータを送信することができる。無線通信システム２００において、ｅＮＢ１０５−ｂは、サービスを提供するセルの送信２２５−ａと同じ周波数リソースを用いてサービスを提供するセルの送信でＵＥ１１５−ｂにデータを送信することができる。ｅＮＢ１０５−ａによるサービスを提供するセルの送信２２５−ａは、その結果として、干渉する送信２３０−ａ−ｂがＵＥ１１５−ｂによって受信される可能性がある。サービスを提供するセルの送信２２５−ａ、２２５−ｂ、及び２２５−ｃも、その結果として、ＵＥ１１５−ａ、１１５ｂ及び１１５−ｃに対して干渉する送信２３０−ｃ−ａ、２３０−ｂ−ｃ、及び２３０−ｃ−ｂが発生することがある。図２は、ダウンリンクのサービスを提供するセルの送信及び干渉する送信を例示する。しかしながら、ｅＮＢ１０５でのＵＥによる送信の受信に関するアップリンクについても同様の干渉問題が発生することがある。
【００４０】
［００５２］ＵＥ１１５及びｅＮＢ１０５は、高度な干渉管理のための様々な技法を採用することができる。これらの技法は、干渉除去／干渉抑圧（ＩＣ／ＩＳ）と呼ばれ、例えば、最小平均二乗誤差（ＭＭＳＥ）干渉抑圧、希望される信号及び干渉信号に関して共同最小尤度（ＭＬ）検出を採用するマルチユーザ検出（ＭＵＤ）、線形等化に基づく空間干渉抑圧、シンボルレベル干渉除去（ＳＬＩＣ）、又はコードワードレベル干渉除去（ＣＷＩＣ）のうちの１つ以上を採用することができる。
【００４１】
［００５３］ＳＬＩＣでは、干渉信号の最も尤度が高い送信ビットは、送信のために採用された空間方式及び変調フォーマットに基づいて推定することができる。推定されたビット、空間方式、及び変調フォーマットを用いて干渉信号の推定値を再構築することができ、次に、推定された干渉信号が受信された信号から減じられる。ＣＷＩＣは、干渉除去のために干渉信号を推定するために干渉データチャネルに適用された誤り訂正コーディングを利用する。例えば、ＬＴＥでは、ＰＤＳＣＨがターボ符号化され、ＰＤＣＣＨ内のＤＣＩを介してＰＤＳＣＨペイロードの対象とされるＵＥに対して復号のために必要なパラメータを提供することができる。ＣＷＩＣでは、ＵＥは、異なるＵＥを対象とする干渉ＰＤＳＣＨ送信を復号するための１つ以上のパラメータを入手及び／又は決定し、干渉しているＰＤＳＣＨ送信を復号する。次に、ＵＥは、ＰＤＳＣＨ送信の復号されたビットから干渉信号を再構築し、再構築された信号を受信された信号から減じる。
【００４２】
［００５４］ＰＤＳＣＨペイロードを復号するために、ＵＥは、例えば、コードレート又はトランスポートブロックサイズ（ＴＢＳ）、物理的リソースブロック（ＰＲＢ）割り当て、及び冗長性バージョン（ＲＶ）を使用することができる。さらに、上述されるように、幾つかの例においては、干渉信号は、プリコーディングリソースバンドリングを採用することができ、周波数に関してバンドリングされた（すなわち、ＰＲＢバンドリング）リソース、又は時間に関してバンドリングされた（すなわち、サブフレームバンドリング）リソースに対してプリコーディングベクトルを使用することができる。様々な実施形態により、以下においてさらに詳細に説明されるように、リソースバンドリング情報は、干渉信号のペイロードを復号するために使用することもできる。ＵＥは、ネットワークシグナリング、ブラインド検出、又はＤＣＩの復号のうちの１つ以上を介してこれらの送信パラメータを及び干渉信号に関連するその他の情報を入手することができる。ネットワークがこれらの送信パラメータのうちの１つ以上を提供するシステム環境においては、ＵＥは、ＵＥに対して干渉を生じさせることが可能なその他のＵＥを対象とするペイロードに関する復号情報を受信することができる。ネットワークは、例えば、ブロードキャストメッセージ又は制御メッセージでこの情報を提供することができる。
【００４３】
［００５５］上述されるように、幾つかの例においては、バンドリングされたリソースに関して同じプリコーディングを行うことができる。図３は、無線通信システム１００又は２００を含む無線通信システムにおいてバンドリングすることができる異なるリソースを含むダウンリンクフレーム構造３００の例を示した図である。ダウンリンクフレーム構造３００は、１０ミリ秒（ｍｓ）の無線フレーム長３１０を有することができ及び各々１ｍｓの１０のサブフレーム３１５を含むことができる。各サブフレーム３１５は、２つのスロット又は長さ０．５ｍｓのハーフサブフレームにさらに分割することができ、各スロットは、６つ又は７つのシンボルを入れることができる。ＯＦＤＭＡコンポーネント搬送波３２０は、２つのタイムスロットを表すリソースグリッドとして例示することができる。リソースグリッドは、複数のリソース要素３２２に分割することができる。各リソース要素は、変調されたシンボルを搬送することができる。
【００４４】
［００５６］図３において例示されるように、ＰＤＣＣＨ３２５は、概して、ＰＤＳＣＨ３３０と時分割多重化され、概して、各サブフレーム３１５の第１の領域内のＯＦＤＭＡコンポーネント搬送波３２０の帯域幅全体内に完全に分布する。図３において示される例では、ＰＤＣＣＨ３２５は、サブフレーム３１５の第１の３つのシンボルを占める。ＰＤＣＣＨ３２５は、サブフレーム３１５に関するコンポーネント搬送波帯域幅及び制御情報量に基づいてより多い又はより少ないシンボルを適宜有することができる。ＰＨＩＣＨ及び／又はＰＣＦＩＣＨチャネルは、ＰＤＣＣＨ３２５の第１のシンボル内で見つけることができる。
【００４５】
［００５７］ＬＴＥ／ＬＴＥ−Ａでは、ＰＲＢ−ｎ及びＰＲＢ−ｎ＋１に対応する物理的リソースブロック（ＰＲＢ）３３７−ａ、３３７−ｂは、各々、周波数領域において１２の連続する副搬送波を入れることができ、各ＯＦＤＭシンボル内の通常のサイクリックプリフィックスに関しては、時間領域において７つの連続するＯＦＤＭシンボル、又は８４のリソース要素を入れることができる。リソース要素の一部は、Ｒで表され（例えば、３３５）、ＤＬ基準信号（ＤＬ−ＲＳ）を含むことができる。ＤＬ−ＲＳは、セル専用のＲＳ（ＣＲＳ）（共通ＲＳと時々呼ばれる）と、ＵＥ専用ＲＳ（ＵＥ−ＲＳ）と、を含むことができる。ＵＥ−ＲＳは、対応する物理ＤＬ共有チャネル（ＰＤＳＣＨ）３３０がマッピングされるリソースブロックのみにおいて送信することができる。各リソース要素によって搬送されるビット数は、変調方式に依存することができる。従って、ＵＥが受信するリソースブロックが多いほど、及び変調方式が高いほど、ＵＥに関するデータレートは高くなることができる。
【００４６】
［００５８］例えば、ＬＴＥ−Ａ送信モード９（ＴＭ９）において使用されるその他の例においては、復調ＲＳ（ＤＭ−ＲＳ）を使用することができ、Ｄで表されるリソース要素は、ＤＭ−ＲＳ情報を含むことができる。ＴＭ９では、アンテナポート７乃至１４に関してＤＭ−ＲＳを提供することができ、特定のアンテナポートに関するＤＭ−ＲＳを含むＰＲＢ内に予め決定されたＤＭ−ＲＳリソースブロックが存在する。同じ位置にマッピングされたＤＭ−ＲＳを差別するために、符号分割多重（ＣＤＭ）を使用することができ、各々のポートにコードが割り当てられる。さらに、ＴＭ９は、プリコーダリソースバンドリングをサポートし、それは、隣接するＰＲＢ３３７にわたって同じプリコーディングベクトルを可能にする。該バンドリングは、同じプリコーディングベクトルに基づいてプリコーディングされるべきＰＲＢ３３７の数を決定するバンドリングサイズを有することができる。バンドリングされたＰＲＢの数及び位置は、例えば、チャネル帯域幅に依存することができ、及び、識別されたＰＲＢグループ（ＰＲＧ）によって定義することができる。幾つかの例においては、ＥＰＤＣＣＨ及びＰＤＳＣＨは、同じＰＲＧを共有することができる。該事例においては、ＰＲＧ内の幾つかのＰＲＧ対は、ＥＰＤＣＣＨ情報を含むことができ、同じＰＲＧ内のその他のＰＲＢ対は、同じＵＥ又は異なるＵＥのＰＤＳＣＨデータを含むことができる。しかしながら、ＤＭ−ＲＳに基づくプリコーディングは、ＵＥにとって透明であることができ、プリコーディングベクトルは、明示でシグナリングすることができない。該事例におけるＵＥは、すべてのＰＲＢ対内のＤＭ−ＲＳに基づいてプリコーディングされたチャネルを推定することができる。幾つかの例においては、プリコーディングは、ＵＥ  ＰＭＩフィードバックに基づいて設定することができ、ｅＮＢは、ＰＲＢレベルの粒度を有するチャネルを知っていることができない。
【００４７】
［００５９］図３の例は、ＰＲＢをバンドリングすることを例示し、バンドリングされたＰＲＢは、同じプリコーディングベクトルを使用する。該バンドリングは、各ＰＲＢ３３７の送信の際に使用することができる複数の周波数に関して行うことができる。プリコーダリソースバンドリングは、時間に関するバンドリング、又はサブフレームバンドリングを含むこともできる。今度は図４を参照し、図は、無線通信システム１００又は２００を含む無線通信システムにおいて時間に関してバンドリングすることができる異なるリソースを含むダウンリンクフレーム構造４００の例を示す。ダウンリンクフレーム構造４００は、１０のサブフレーム４１０を含むフレーム４０５を含み、サブフレーム０乃至９で表される。この例では、サブフレーム２、３、及び４は、バンドリングされたグループ４１５内に含めることができ、隣接するサブフレーム４１０にわたって同じプリコーディングベクトルを適用することができる。バンドリングサイズは、同じプリコーディングベクトルに基づいてプリコーディングすることができるサブフレーム４１０の数を決定することができる。
【００４８】
［００６０］図３−４に関して説明される方法でバンドリングすることは、ＵＥがプリコーディングされたチャネルをＰＲＢ又はサブフレームにわたってまとめて推定するのを可能にすることができ、それは、チャネル推定性能を向上させることができる。幾つかの実施形態においては、以下においてさらに詳細に説明されるように、干渉信号がプリコーダリソースバンドリングを含む場合は、ＵＥ、ｅＮＢ、及び／又は他のネットワークエンティティは、ＵＥでのＩＣ／ＩＳ動作において使用するために同様の方法で干渉信号を推定することができる。しかしながら、上記のように、ＵＥ、基地局、及び／又はその他のネットワークエンティティは、ＰＲＢ及び／又はサブフレームバンドリングが干渉信号に関して使用されているかどうかを知ることができない。例えば、幾つかの事例においては、ＰＲＢバンドリングは、干渉信号が送信される対象となる異なるＵＥのＲＩ／ＰＭＩフィードバックの関数であることができるため、ＵＥは、該知識を有することができない。干渉除去を試みているＵＥは、その他のＵＥのフィードバック構成に関する情報を有することができず、従って、干渉信号に関してＰＲＢ及び／又はサブフレームバンドリングが使用されているかどうかを知ることができない。さらに、上記のように、ＰＲＢ／サブフレームバンドリングは、他方のＵＥの送信モードの関数であることができる。例えば、他方のＵＥがＴＭ９を使用中である場合はバンドリングが存在することができ、他方のＵＥがＴＭ８を使用中である場合は存在することができない。干渉除去を試みているＵＥは、その他のＵＥのＴＭ構成に関する情報を有することができず、従って、干渉信号に関してＰＲＢ及び／又はサブフレームバンドリングが使用されているかどうかを知ることができない。さらに、ＰＲＢバンドリングは、異なるＵＥに関するＰＲＢ割り当て間の境界によって遮断することができる。例えば、ＰＲＢ  ｋ及びｋ＋１は、同じＵＥに割り当てられるときにはバンドリングすることが可能であるが、異なるＵＥに割り当てられるときにはバンドリングすることができない。干渉除去を試みているＵＥは、その他のＵＥの割り当てられたリソース境界に関する情報を有することができず、従って、干渉信号に関してＰＲＢ及び／又はサブフレームバンドリングが使用されているかどうかを知ることができない。
【００４９】
［００６１］図５は、様々な実施形態によるプリコーダリソースバンドリング評価方法５００を例示したフローチャートである。方法５００は、例えば、図１又は２のＵＥ、基地局、又はその他のネットワークエンティティによって、又は、これらの図に関して説明されるデバイスのいずれかの組み合わせを用いて実行することができる。最初は、ブロック５０５において干渉信号が受信される。ブロック５１０により、干渉信号に関連するプリコーダリソースバンドリングを評価することができる。干渉信号の評価に基づいて、ブロック５１５において、干渉信号においてプリコーダリソースバンドリングが使用されるかどうかが決定される。プリコーダリソースバンドリングが使用されると決定された場合は、ブロック５２０において示されるように、ＩＣ／ＩＳ動作が修正される。修正されたＩＣ／ＩＳ動作は、干渉信号のより有効な除去を提供するために、干渉信号の推定を向上させることを目的として提供することができる。ＩＣ／ＩＳ動作は、例えば、バンドリングされるべきであると決定されたＰＲＧ内のチャネルを再推定することによってチャネル推定値を精巧にすることができ、精巧にされた推定値を干渉除去のために使用することができる。ブロック５１５においてプリコーダリソースバンドリングが存在していないことが決定された場合は、ブロック５２５において示されるように、ＩＣ／ＩＳ動作に関してプリコーダリソースバンドリングが無視される。様々な実施形態により、ブロック５１０のプリコーダリソースバンドリング評価は、干渉信号に関して受信された補助情報又は干渉信号を送信している近隣基地局に基づくことができる。該補助情報は、以下においてさらに詳細に説明され、例えば、ＩＣ／ＩＳ動作を修正するために使用することができるあるリソースバンドリングが干渉信号に入っていることを示す情報を含むことができる。補助情報が受信されない場合は、ブロック５１０のプリコーダリソースバンドリング評価の結果として、バンドリングが存在しないことの決定をブロック５１５において行うことができる。
【００５０】
［００６２］その他の実施形態においては、ブロック５１０のプリコーダリソースバンドリング評価は、干渉信号におけるプリコーダリソースバンドリングの存在のブラインド検出を含むことができる。該ブラインド検出は、例えば、最初に、バンドリングが存在しないとする仮定に基づいて受信されたチャネルを推定することによって行うことができる。次に、チャネル内の隣接するＰＲＢ及び／又は隣接するサブフレームに関して推定を行うことができ、チャネル推定と比較することができる。ブラインド検出は、ＰＲＧ内でのＥＰＤＣＣＨの存在を検出するのを試みることができる。ＥＰＤＣＣＨが検出されたときには、対応するＰＲＢ対がＰＲＢバンドリング動作に関するＰＲＧから除外される。比較による差が予め決定されたスレショルドよりも小さい場合は、バンドリングが使用されたとする決定を行うことができる。その差が予め決定されたスレショルドよりも大きい場合は、干渉信号内ではバンドリングが使用されなかったとする決定を行うことができる。幾つかの実施形態においては、スレショルドは、その他のＰＲＢ境界と比較して異なる形でＲＰＧにおいて設定することができる。この理由は、低いＰＭＩ粒度に起因して、プリコーディングベクトルは複数の副帯域にわたって同一であることができ、従って、複数のＲＢＧにわたって同じプリコーディングである可能性があり、スレショルドを適宜調整することができるためである。
【００５１】
［００６３］幾つかの実施形態においては、ブロック５１０のプリコーダリソースバンドリング評価は、他のネットワークエンティティ、例えば、サービス提供基地局及び／又は近隣基地局、からの補助情報の受信に基づくことができる。該補助情報は、例えば、半静的シグナリングの形態であることができる。様々な実施形態において、幾つかの異なる半静止シグナリング選択肢を使用することができる。例えば、幾つかの実施形態においては、補助情報は、すべての干渉信号に関してプリコーダリソースバンドリングを仮定すべきであることを示す又は干渉信号に関してプリコーダリソースバンドリングを無視するように指示する１ビットの表示を含むことができる。その他の実施形態においては、補助情報は、仮想セルＩＤ（ＶＣＩＤ）当たり１ビットの表示を含むことができ、そのＶＣＩＤを使用する信号に関してＰＲＢバンドリングが仮定されるべきであるかどうかを示すことができる。その他の実施形態においては、半静的シグナリングは、リソースバンドリングを仮定することができるＶＣＩＤ範囲の形態で補助情報を提供することができ、及び、リソースバンドリングがＰＲＢバンドリング及び／又はサブフレームバンドリングを含むことも示すことができる。さらなる実施形態においては、ＣｏＭＰとともに構成されたＵＥに関して、プリコーダリソースバンドリング評価は、プリコーダリソースバンドリングに関するＣｏＭＰ構成と同じ情報を使用するように指示する信号に基づくことができる。
【００５２】
［００６４］幾つかの実施形態においては、補助情報は、ＩＣ／ＩＳ動作の目的のためにプリコーダリソースバンドリングが存在するリソースを示す半静的リソース部分組において提供することができる。該部分組は、例えば、ＰＲＢ部分組及び／又はサブフレーム部分組を含むことができる。幾つかの実施形態においては、シグナリングを提供することができ、ＰＲＢ及び／又はサブフレームの定義された部分組にマッピングすることができる。さらに、マルチキャスト−ブロードキャスト単一周波数ネットワーク（ＭＢＳＦＮ）対非ＭＢＳＦＮサブフレームへの依存性は、半静的リソースを用いてシグナリングすることができる。例えば、非ＭＢＳＦＮサブフレームでは、シグナリングは、バンドリングがＰＲＧと整合していることを示すことができ、ＭＢＳＦＮサブフレームでは、ＤＣＩフォーマット１Ａの使用は、ＰＲＧ整合性の尤度を低下させることがある。その他の例では、ＰＲＢバンドリングは、変調順序にリンクすることができる。例えば、２５６ＱＡＭの場合は、基地局は、ＰＲＢバンドリングがイネーブルされることをシグナリングすることができ、ＰＲＢバンドリングサイズは、その他の変調順序に関するよりも大きいことができる。その他の例では、半静的シグナリングは、ＰＲＢバンドリングが送信のタイプにリンクされていることを示すことができる。例えば、送信がブロードキャストチャネル送信（例えば、ページング、ＳＩＢ、Ｍｓｇ２）である場合は、シグナリングは、送信のためのＰＲＢバンドリングが存在しないことを示すことができる。半静的バンドリング表示として提供される補助情報は、様々な異なる方法で定義することができる。例えば、１つの表示は、干渉信号内にＰＲＢバンドリングが存在せず、従って、関連する干渉信号に関するＩＣ／ＩＳ動作においてプリコーダリソースバンドリングを無視することができることを示すことができる。他の半静的表示は、プリコーダリソースバンドリングが存在する可能性が最も高いことを示すことができるが、すべてのＰＲＧにおいてバンドリングが厳格に強制されるわけではない。該事例においては、ＩＣ／ＩＳ動作は、例えば、リソースバンドリングを有すると仮定される干渉信号に基づいてチャネル推定を繰り返すことを通じて、プリコーダリソースバンドリングを説明するために修正することができる。さらに他の半静的表示は、すべてのＰＲＧにおいてバンドリングが厳格に強制されることを示すことができる。すべてのＰＲＧにおいてバンドリングが厳格に強制されることを表示が示す場合は、シグナリングは、例えば、ランク及びプリコーダがＰＲＧ内において同一であることをさらに示すことができる。さらに、シグナリングは、電力レベル又は変調順序のうちの１つ以上もＰＲＧ内において同一であることも示すことができる。
【００５３】
「００６５」その他の実施形態においては、ブロック５１０のプリコーダリソースバンドリング評価は、動的シグナリングを通じて受信された補助情報の評価を含むことができる。例えば、サービス提供基地局は、１つ以上の近隣基地局からの１つ以上の干渉信号内に存在するプリコーダリソースバンドリングに関連するＵＥに動的シグナリングを送信することができる。該シグナリングは、例えば、現在のサブフレーム内の干渉信号に関してバンドリングを仮定することができるかどうかを示す、ＵＥへのＰＤＳＣＨ許可又は拡張ＰＤＣＣＨ（ＥＰＤＣＣＨ）のうちの少なくとも１つにおける表示として含めることができる。該表示は、例えば、仮想セルＩＤ（ＶＣＩＤ）ごとに提供することができ、現在のサブフレーム内においてそのＶＣＩＤを使用する信号に関してリソースバンドリングを仮定することができるかどうかをＵＥに知らせることができる。該表示は、例えば、ＵＥに提供されるビットマップを通じて提供することもでき、リソースバンドリングを有する及び同じプリコーディングベクトルを有する特定のＰＲＢ及び／又はサブフレームを示すことができる。表示は、例えば、ランク、電力レベル又は変調順序のうちの１つ以上が示されたＰＲＢ及び／又はサブフレームに関しても同一であることも示すことができる。例えば、ＵＥに関するＰＤＳＣＨ割り当ては、ＭのＰＲＢを含むことができる。該事例においては、Ｍ−１の要素のビットマップを提供することができ、ビットｋは、ｋ番目のＰＲＢがｋ＋１番目のＰＲＢとバンドリングされるかどうかを示すことができる。幾つかの実施形態においては、ビットマップに加えての別個のシグナリングを含むことができ、それは、示されたバンドリングがバンドリングされたリソースにわたって同じ変調順序及び同じＰＤＳＣＨオン／オフ状態も含むかどうかを示すことができる。
【００５４】
［００６６］図６は、プリコーダリソースバンドリング評価及び関連するＩＣ／ＩＳ修正のために構成することができる無線通信システム６００のブロック図を示す。この無線通信システム６００は、図１において例示される無線通信システム１００又は図２において例示される無線通信システム２００の態様の一例であることができる。無線通信システム６００は、基地局１０５−ｄを含むことができる。基地局１０５−ｄは、図１又は２の基地局１０５の一例であることができる。基地局１０５−ｄは、アンテナ６４５と、トランシーバモジュール６５０と、メモリ６７０と、プロセッサモジュール６６０と、を含むことができ、それらの各々は、直接又は間接的に、（例えば、１つ以上のバス６８０を通じて）互いに通信状態にあることができる。トランシーバモジュール６５０は、アンテナ６４５を介して、ＵＩＥ１１５−ｄと双方向で通信するように構成することができる。トランシーバモジュール６５０（及び／又は基地局１０５−ｄのその他のコンポーネント）は、１つ以上のネットワークと双方向で通信するように構成することもできる。幾つかの事例においては、基地局１０５−ｄは、ネットワーク通信モジュール６６５を通じてコアネットワーク１３０−ａと通信することができる。基地局１０５−ｄは、サービス提供基地局、近隣基地局、ｅＮｏｄｅＢ基地局、ホームｅＮｏｄｅＢ基地局、ＮｏｄｅＢ基地局、及び／又はホームＮｏｄｅＢ基地局の一例であることができる。
【００５５】
［００６７］基地局１０５−ｄは、その他の基地局１０５、例えば、基地局１０５−ｍ及び基地局１０５−ｎ、と通信することもできる。幾つかの事例においては、基地局１０５−ｄは、基地局通信モジュール６１５を利用するその他の基地局、例えば、１０５−ｍ及び／又は１０５−ｎ、と通信することができる。幾つかの実施形態においては、基地局通信モジュール６１５は、基地局１０５のうちの一部の間での通信を提供するためにＬＴＥ無線通信技術内においてＸ２インタフェースを提供することができる。幾つかの実施形態においては、基地局１０５−ｄは、コアネットワーク１３０−ａを通じてその他の基地局と通信することができる。
【００５６】
［００６８］メモリ６７０は、ランダムアクセスメモリ（ＲＡＭ）と、読み取り専用メモリ（ＲＯＭ）と、を含むことができる。メモリ６７０は、実行されたときにここにおいて説明される様々な機能（例えば、呼の処理、データベース管理、メッセージルーティング、等）を実行することをプロセッサモジュール６６０に行わせるように構成される命令が入った、コンピュータによって読み取り可能な、コンピュータによって実行可能なソフトウェアコード６７５を格納することもできる。代替として、コンピュータによって実行可能なソフトウェアコード６７５は、プロセッサモジュール６６０によって直接実行可能でないが、例えば、コンパイルされて実行されたときにここにおいて説明される機能を実行することをプロセッサに行わせるように構成することができる。
【００５７】
［００６９］プロセッサモジュール６６０は、インテリジェントなハードウェアデバイス、例えば、中央処理装置（ＣＰＵ）、マイクロコントローラ、特定用途向け集積回路（ＡＳＩＣ）、等を含むことができる。トランシーバモジュール６５０は、パケットを変調して変調されたパケットを送信のためにアンテナに提供するよう構成され及びアンテナ６４５から受信されたパケットを復調するように構成されたモデムを含むことができる。基地局１０５−ｄの幾つかの例は、単一のアンテナ６４５を含むことができるが、基地局１０５−ｄは、搬送波アグリゲーションをサポートすることができる複数のリンクのための複数のアンテナ６４５を含むことができる。例えば、ＵＥ１１５−ｄとのマクロ通信をサポートするために１つ以上のリンクを使用することができる。
【００５８】
［００７０］図６のアーキテクチャにより、基地局１０５−ｄは、通信管理モジュール６４０をさらに含むことができる。通信管理モジュール６４０は、その他の基地局１０５との通信を管理することができる。一例として、通信管理モジュール６４０は、バス６８０を介して基地局１０５−ｄのその他のコンポーネントのうちの一部又は全部と通信状態にある基地局１０５−ｄのコンポーネントであることができる。代替として、通信管理モジュール６４０の機能は、トランシーバモジュール６５０のコンポーネントとして、コンピュータプログラム製品として、及び／又はプロセッサモジュール６６０の１つ以上のコントローラ要素として実装することができる。
【００５９】
［００７１］幾つかの実施形態においては、アンテナ６４５と共同のトランシーバモジュール６５０は、基地局１０５−ｄのその他の可能なコンポーネントとともに、近隣基地局からの干渉信号においてプリコーダリソースバンドリングが使用されるかどうかを評価することができる。幾つかの実施形態においては、基地局１０５−ｄは、１つ以上の干渉信号をＵＥ１１５−ｄに送信するおそれがある１つ以上の近隣基地局の存在を決定する近隣セル識別モジュール６２０を含む。この情報は、プリコーダリソースバンドリング評価モジュール６２５に提供することができ、それは、近隣基地局で使用されるプリコーダリソースバンドリングの存在及びタイプを決定することができる。該決定は、１つ以上の近隣基地局から、例えば、何らかのその他のネットワークエンティティから、及び／又は近隣基地局の送信の評価から受信された情報に基づいて行うことができる。プリコーダリソースバンドリング評価モジュール６２５は、トランシーバモジュール６５０を介してＵＥ１１５−ｄに補助プリコーダリソースバンドリング情報を送信することができる。補助情報生成モジュール６３０は、ＵＥ１１５−ｄのための補助情報、例えば、上述される半静的補助情報、又は上述される動的補助情報、を生成することができ、及び、トランシーバモジュール６５０を介してＵＥ１１５−ｄに補助情報を送信することができる。注記されるモジュールの各々は、基地局１０５−ｄの動作に関連する１つ以上の機能を実行するための手段であることができる。
【００６０】
［００７２］今度は図７を参照し、プリコーダリソースバンドリングに基づいてプリコーダリソースバンドリング評価及びＩＣ／ＩＳ修正を行う無線通信システム例７００が描かれる。無線通信システム７００は、１つ以上の無線ネットワークへのアクセスを受信するために基地局１０５−ｅと通信することができるＵＥ１１５−ｅを含み、及び、図１の無線通信システム１００、図２の無線通信システム２００、又は図６の無線通信システム６００の態様の例であることができる。ＵＥ１１５−ｅは、図１、２又は６のＵＥの例であることができる。ＵＥ１１５−ｅは、受信機モジュール７１０及び送信機モジュール７１５に通信可能な形で結合された１本以上のアンテナ７０５を含み、それらは、制御モジュール７２０に通信可能な形で結合される。制御モジュール７２０は、１つ以上のプロセッサモジュール７２５と、コンピュータによって実行可能なソフトウェアコード７３５を含むことができるメモリ７３０と、ＩＣ／ＩＳモジュール７４０と、を含む。コンピュータによって実行可能なソフトウェアコード７３５は、プロセッサモジュール７２５及び／又はＩＣ／ＩＳモジュール７４０による実行用であることができる。
【００６１】
［００７３］プロセッサモジュール７２５は、インテリジェントなハードウェアデバイス、例えば、中央処理装置（ＣＰＵ）、マイクロコントローラ、特定用途向け集積回路（ＡＳＩＣ）、等を含むことができる。メモリ７３０は、ランダムアクセスメモリ（ＲＡＭ）と、読み取り専用メモリ（ＲＯＭ）と、を含むことができる。メモリ７３０は、実行されたときに（又はコンパイルされて実行されたときに）ここにおいて説明される様々な機能（例えば、プリコーダバンドリング決定、及びＩＣ／ＩＳ修正）を実行することをプロセッサモジュール７２５及び／又はＩＣ／ＩＳモジュール７４０に行わせるように構成される命令が入ったコンピュータによって読み取り可能な、コンピュータによって実行可能なソフトウェアコード７３５を格納することができる。ＩＣ／ＩＳモジュール７４０は、プロセッサモジュール７２５の一部として実装することができ、又は、例えば、１つ以上の別個のＣＰＵ又はＡＳＩＣを用いて実装することができる。送信機モジュール７１５は、上述されるように、１つ以上の無線通信ネットワーク（例えば、Ｅ−ＵＴＲＡＮ、ＵＴＲＡＮ、等）との通信を確立するために基地局１０５−ｅ（及び／又はその他の基地局）に送信することができる。ＩＣ／ＩＳモジュール７４０は、同様に上述されるように、１つ以上の近隣基地局からの干渉信号がプリコーダリソースバンドリングを使用するかどうかを評価するように、及び、該プリコーダリソースバンドリングを説明するためにＩＣ／ＩＳ動作を修正するように構成することができる。幾つかの例においては、ＩＣ／ＩＳモジュール７４０は、上述される例により、近隣セルプリコーダリソースバンドリング及び／又はＩＣ／ＩＳ修正に関連する基地局１０５−ｅからの補助情報を受信するように、及び、１つ以上のサブフレームの１つ以上の部分に関連するＩＣ／ＩＳ動作を修正するための該当する措置を講じるように構成することもできる。受信機モジュール７１０は、上述されるように、基地局１０５−ｅ（及び／又はその他の基地局）からダウンリンク送信を受信することができる。ダウンリンク送信は、ＵＥ１１５−ｅにおいて受信されて処理される。ＵＥ１１５−ｅのコンポーネントは、個々に又は全体で、ハードウェア内の該当する機能のうちの一部又は全部を実行するように好適化された１つ以上の特定用途向け集積回路（ＡＳＩＣ）とともに実装することができる。注記されたモジュールの各々は、ＵＥ１１５−ｅの動作に関連する１つ以上の機能を実行するための手段であることができる。
【００６２】
［００７４］図８は、ＩＣ／ＩＳモジュール７４０−ａの例であり、それは、プリコーダリソースバンドリング評価モジュール８０５と、ＩＣ／ＩＳ決定モジュール８１０と、ＩＣ／ＩＳサブフレーム修正モジュール８１５と、を含む。プリコーダリソースバンドリング評価モジュール８０５は、サービス提供基地局及び／又はいずれかの近隣基地局から受信された１つ以上の信号を評価し、その評価に基づいてプリコーダリソースバンドリングの存在又は不在を決定することができる。幾つかの実施形態においては、プリコーダリソースバンドリング評価モジュール８０５は、サービス提供基地局から及び／又は何らかのその他のネットワークエンティティからプリコーダリソースバンドリングに関連する補助情報を受信することができる。その他の実施形態においては、プリコーダリソースバンドリング評価モジュール８０５は、例えば、リソースバンドリングのブラインド検出を通じて上述される例に従って信号を評価することができる。ＩＣ／ＩＳ決定モジュール８１０は、プリコーダバンドリング情報及び／又はその他の情報（例えば、補助情報）を受信し、ＵＥにおいて受信された異なるサブフレームに関して適用されるべきＩＣ／ＩＳを決定することができる。ＩＣ／ＩＳサブフレーム修正モジュール８１５は、ＩＣ／ＩＳ決定モジュール８１０の決定に基づいて１つ以上のサブフレームに関してＵＥにおいてＩＣ／ＩＳ動作を修正することができる。ＩＣ／ＩＳモジュール７４０−ａのコンポーネントは、個々に又は全体で、ハードウェア内の該当する機能のうちの一部又は全部を実行するように好適化された１つ以上のＡＳＩＣとともに実装することができる。注記されたモジュールの各々は、ＩＣ／ＩＳモジュール７４０−ａの動作に関連する１つ以上の機能を実行するための手段であることができる。
【００６３】
［００７５］図９は、基地局１０５−ｆとＵＥ１１５−ｆとを含む無線通信システム９００のブロック図である。この無線通信システム９００は、図１、２、６乃至９の無線通信システム１００、２００、６００、７００、８００、又は９００のうちの１つ以上の例であることができる。さらに、無線通信システム９００は、図３−４を参照して説明されるダウンリンクフレーム構造３００、４００の１つ以上の態様を実装することができる。基地局１０５−ｆは、アンテナ９３４−ａ乃至９３４−ｘを装備することができ、ＵＥ１１５−ｆは、ＵＥアンテナ９５２−ａ乃至９５２−ｎを装備することができる。基地局１０５−ｆにおいて、送信プロセッサ９２０は、データソースからデータを受信することができる。
【００６４】
［００７６］送信プロセッサ９２０は、データを処理することができる。送信プロセッサ９２０は、基準信号、及びセル専用基準信号を生成することもできる。送信（ＴＸ）ＭＩＭＯプロセッサ９３０は、データシンボル、制御シンボル、及び／又は基準シンボルに関する空間処理（例えば、プリコーディング）を行うことができ、該当する場合はプリコーダリソースバンドリングを使用することを含み、及び、基地局変調器／復調器９３２−ａ乃至９３２−ｘに出力シンボルストリームを提供することができる。各基地局変調器／復調器９３２は、出力されたサンプルストリームを入手するために（例えば、ＯＦＤＭ、等に関して）各々の出力シンボルストリームを処理することができる。各基地局変調器／復調器９３２は、ダウンリンク（ＤＬ）信号を入手するために出力サンプルストリームをさらに処理（例えば、アナログへの変換、増幅、フィルタリング、及びアップコンバージョン）することができる。一例においては、基地局変調器／復調器９３２−ａ乃至９３２−ｘからのＤＬ信号は、アンテナ９３４−ａ乃至９３４−ｘを介して送信することができる。
【００６５】
［００７７］ＵＥ１１５−ｆでは、ＵＥアンテナ９５２−ａ乃至９５２−ｎは、基地局１０５−ｆからＤＬ信号を受信することができ及び受信された信号をＵＥ変調器／復調器９５４−ａ乃至９５４−ｎにそれぞれ提供することができる。各ＵＥ変調器／復調器９５４は、入力サンプルを入手するために各々の受信された信号をコンディショニング（例えば、フィルタリング、増幅、ダウンコンバージョン、及びデジタル化）することができる。各ＵＥ変調器／復調器９５４は、受信されたシンボルを入手するために（例えば、ＯＦＤＭ、等に関して）入力サンプルをさらに処理することができる。ＭＩＭＯ検出器９５６は、すべてのＵＥ変調器／復調器９５４−ａ乃至９５４−ｎから受信されたシンボルを入手し、該当する場合は受信されたシンボルに関するＭＩＭＯ検出を行い、検出されたシンボルを提供することができる。受信プロセッサ９５８は、検出されたシンボルを処理（例えば、復調、デインターリービング、及び復号）し、検出されたシンボルに関して干渉除去及び／又は干渉抑圧動作を行い、ＵＥ１１５−ｆに関する復号されたデータをデータ出力部に提供し、復号された制御情報をプロセッサ９８０、又はメモリ９８２に提供することができる。プロセッサ９８０は、上述されるように、ＵＥ１１５−ｆのＩＣ／ＩＳ動作を決定及び修正することができるＩＣ／ＩＳモジュール７４０−ｂと結合することができる。
【００６６】
［００７８］アップリンク（ＵＬ）では、ＵＥ１１５−ｆにおいて、送信プロセッサ９６４は、データソースからデータを受信して処理することができる。送信プロセッサ９６４は、基準信号に関する基準シンボルを生成することもできる。送信プロセッサ９６４からのシンボルは、該当する場合は送信ＭＩＭＯプロセッサ９６６によってプリコーディングし、（例えば、ＳＣ−ＦＤＭＡ、等に関して）ＵＥ変調器／復調器９５４−ａ乃至９５４０−ｎによってさらに処理し、基地局１０５−ｆから受信された送信パラメータに従って基地局１０５−ｆに送信することができる。基地局１０５−ｆにおいて、ＵＥ１１５−ｆからのＵＬ信号は、アンテナ９３４によって受信し、基地局変調器／復調器９３２によって処理し、該当する場合はＭＩＭＯ検出器９３６によって検出し、受信プロセッサ９３８によってさらに処理することができる。受信プロセッサ９３８は、復号されたデータをデータ出力部に及びプロセッサ９４０に提供することができる。メモリ９４２は、プロセッサ９４０と結合することができる。
【００６７】
［００７９］プリコーダリソースバンドリング評価モジュール６２５−ａは、幾つかの実施形態においては、１つ以上の近隣基地局に関連する信号を評価し、プリコーダリソースバンドリングに関連する情報をプロセッサ９４０に提供することができ、それは、プリコーダリソースバンドリングに関連する情報をＵＥ１１５−ｆに転送することができる。同様に、上述されるように、無線通信システム９００は、複数のコンポーネント搬送波に関する動作をサポートすることができ、それらの各々は、基地局１０５−ｆとデバイス１１５−ｆとの間で送信される異なる周波数の波形信号を含む。複数のコンポーネント搬送波は、ＵＥ１１５−ｆと基地局１０５−ｆとの間でアップリンク及びダウンリンク送信を搬送することができ、基地局１０５−ｆは、複数のコンポーネント搬送波に関する動作をサポートすることができる。ＵＥ１１５−ｆのコンポーネントは、個々に又は全体的に、ハードウェア内の該当する機能のうちの一部又は全部を実行するように好適化された１つ以上の特定用途向け集積回路（ＡＳＩＣ）とともに実装することができる。注記されたモジュールの各々は、無線通信システム９００の動作に関連する１つ以上の機能を実行するための手段であることができる。同様に、基地局ＵＥ１０５−ｆのコンポーネントは、個々に又は全体的に、ハードウェア内の該当する機能のうちの一部又は全部を実行するように好適化された１つ以上の特定用途向け集積回路（ＡＳＩＣ）とともに実装することができる。注記されたモジュールの各々は、無線通信システム９００の動作に関連する１つ以上の機能を実行するための手段であることができる。
【００６８】
［００８０］図１０は、様々な実施形態により無線通信システムによって実行することができる方法１０００を例示する。方法１０００は、例えば、図１、２、６、７、又は９のＵＥによって、又は、これらの図に関して説明されるデバイスのいずれかの組み合わせを用いて実行することができる。最初に、ブロック１００５において、ＵＥは、サービス提供基地局からのサブフレームの送信中に干渉信号を送信するようにスケジューリングされた近隣基地局を識別する。ブロック１０１０において、ＵＥは、干渉信号に関してプリコーダリソースバンドリングが使用されるかどうかを評価する。上記のように、プリコーダリソースバンドリングは、周波数に関する物理的リソースブロック（ＰＲＢ）バンドリング又は時間に関するサブフレームバンドリングを含むことができる。幾つかの実施形態においては、評価することは、干渉信号内にプリコーダリソースバンドリングが存在することを示すサービス提供基地局からの表示がない場合にプリコーダリソースバンドリングを無視することを含むことができる。最後に、ブロック１０１５において、ＵＥは、評価に応じて干渉除去／干渉抑圧（ＩＣ／ＩＳ）動作を修正する。
【００６９】
［００８１］図１１は、様々な実施形態による無線通信システムによって実行することができる方法１１００を例示する。方法１１００は、例えば、図１、２、６、７、又は９のＵＥによって、又は、これらの図に関して説明されるデバイスのいずれかの組み合わせを用いて実行することができる。最初に、ブロック１１０５において、ＵＥは、サービス提供基地局からのサブフレームの送信中に干渉信号を送信するようにスケジューリングされた近隣基地局を識別する。ブロック１１１０において、ＵＥは、近隣基地局から信号を受信する。ＵＥは、ブロック１１５において、受信された信号の隣接するＰＲＢ又は隣接するサブフレームのうちの１つ以上に関するチャネル特性を推定する。ブロック１１２０において、ＵＥは、チャネル推定値の差がスレショルドを下回るときにプリコーダリソースバンドリングが存在すると決定する。スレショルドは、例えば、隣接するＰＲＢ又は隣接するサブフレームに対する受信された信号のリソースブロックグループ（ＲＢＧ）境界の位置に基づいて２つ以上のスレショルドから選択することができる。最後に、ブロック１１２５において、ＵＥは、評価に応じてサブフレームに関する干渉除去／干渉抑圧（ＩＣ／ＩＳ）動作を修正する。
【００７０】
［００８２］図１２は、様々な実施形態による無線通信システムにおいて基地局によって実行することができる方法１２００を例示する。方法１２００は、例えば、図１、２、６、７、又は９の基地局によって、又は、これらの図に関して説明されるデバイスのいずれかの組み合わせを用いて実行することができる。最初に、ブロック１２０５において、基地局は、サービス提供基地局からユーザ装置（ＵＥ）へのサブフレームの送信中に少なくとも１つの近隣基地局によって使用されるリソースバンドリング方式を識別する。ブロック１２１０において、基地局は、ＵＥの干渉除去／抑圧（ＩＣ／ＩＳ）動作において使用するための識別されたバンドリング方式の表示をＵＥに送信する。表示は、例えば、近隣基地局の１つ以上の干渉信号に関してリソースバンドリングが存在しないことを示す表示、近隣基地局の１つ以上の干渉信号のうちの少なくとも過半数に関してプリコーダリソースバンドリングが存在することを示す表示、２つ以上のサブフレームにおいてリソースバンドリングが存在することを示す表示、又は、近隣基地局のサブフレームのすべてのプリコーダリソースバブロックグループ（ＰＲＧ）内にリソースバンドリングが存在することを示す表示のうちの１つ以上を含むことができる。幾つかの実施形態においては、その表示は、１つ以上の近隣基地局の１つ以上の仮想セル識別（ＶＣＩＤ）の各々に関する１ビットの表示を含むことができ、ＵＥが１つ以上のＶＣＩＤのうちの１つを用いて信号に関してリソースバンドリングの存在を仮定すべきかどうかを示すことができる。表示は、プリコーダバンドリングを使用するリソースの識別を含むことができ、及び、表示は、例えば、物理ダウンリンク共有チャネル（ＰＤＳＣＨ）許可又は拡張ＰＤＣＣＨ（ＥＰＤＣＣＨ）のうちの少なくとも１つでＵＥに送信することができる。
【００７１】
［００８３］添付された図面と関係させて上述される発明を実施するための形態は、典型的な実施形態について説明するものであり、実装することができる又は請求項の範囲内にある唯一の実施形態を表すものではない。この説明全体を通じて用いられる用語“典型的な”は、“１つの例、事例、又は実例を提供すること”を意味し、その他の典型的な実施形態よりも“好ましい”又は“有利である”ことを意味するわけではない。発明を実施するための形態は、説明される技法に関する理解を提供することを目的とした具体的な詳細を含む。しかしながら、これらの技法は、これらの具体的な詳細なしで実践することができる。幾つかの例では、非常によく知られた構造及びデバイスは、説明される実施形態の概念を曖昧にすることを回避するためにブロック図形で示される。
【００７２】
［００８４］情報及び信号は、様々な異なる技術及び技法のうちのいずれかを用いて表すことができる。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【００７３】
［００８５］ここにおける開示と関係させて説明される様々な例示的なブロック及びモジュールは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００７４】
［００８６］ここにおいて説明される機能は、ハードウェア、ソフトウェア／ファームウェア、又はそれらの組み合わせにおいて実装することができる。ソフトウェア／ファームウェアにおいて実装される場合は、これらの機能は、コンピュータによって読み取り可能な媒体において１つ以上の命令又はコードとして格納すること又は送信することができる。その他の例及び実装は、本開示及び添付される請求項の範囲及び精神内にある。例えば、ソフトウェア／ファームウェアの性質に起因して、上述される機能は、プロセッサによって実行されるソフトウェア／ファームウェア、ハードウェア、ハードワイヤリング、又はこれらの組み合わせを用いて実装することができる。機能を実装する特徴は、様々な位置に物理的に配置することができ、機能の一部分が異なる物理的位置において実装されるように分布することを含む。さらに、請求項内を含むここにおいて使用される場合において、項目のリスト（例えば、“〜のうちの少なくとも１つの”又は“〜のうちの１つ以上の”によって始まる項目のリスト）において使用される“又は”は、離接的リストを示し、従って、例えば、“Ａ、Ｂ、又はＣのうちの少なくとも１つの”のリストは、Ａ又はＢ又はＣ又はＡＢ又はＡＣ又はＢＣ又はＡＢＣ（すなわち、Ａ及びＢ及びＣ）を意味する。
【００７５】
［００８７］コンピュータによって読み取り可能な媒体は、コンピュータ記憶媒体と、１つの場所から他へのコンピュータプログラムの転送を容易にするあらゆる媒体を含む通信媒体と、の両方を含む。記憶媒体は、汎用コンピュータ又は専用コンピュータによってアクセス可能なあらゆる利用可能な媒体であることができる。例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められる。
【００７６】
［００８８］本開示に関する前の説明は、当業者が本開示を製造又は使用することを可能にするために提供される。本開示に対する様々な修正は、当業者にとって容易に明確になるであろう、及びここにおいて定められる一般原理は、本発明の精神又は適用範囲を逸脱せずにその他の変形に対しても適用することができる。本開示全体を通じて、用語“例”又は“典型的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］
ユーザ装置（ＵＥ）によって行われる無線通信のための方法であって、
サービス提供基地局からのサブフレームの送信中に干渉信号を送信するようにスケジューリングされた近隣基地局を識別することと、
前記干渉信号に関してプリコーダリソースバンドリングが使用されるかどうかを評価することと、
前記評価に応じて前記サブフレームに関する干渉除去／干渉抑圧（ＩＣ／ＩＳ）を修正することと、を備える、ユーザ装置（ＵＥ）によって行われる無線通信のための方法。
［Ｃ２］
前記評価することは、前記干渉信号内にプリコーダリソースバンドリングが存在することを示す前記サービス提供基地局からの表示が存在しない場合にプリコーダリソースバンドリングを無視することを備えるＣ１に記載の方法。
［Ｃ３］
前記評価することは、前記近隣基地局の通信がプリコーダリソースバンドリングを含む尤度を決定することを備えるＣ１に記載の方法。
［Ｃ４］
前記評価することは、
前記近隣基地局から信号を受信することと、
前記受信された信号の隣接する物理的リソースブロック（ＰＲＢ）又は隣接するサブフレームのうちの１つ以上に関するチャネル特性を推定することと、
チャネル推定値の差がスレショルドを下回るときにプリコーダリソースバンドリングが存在すると決定することと、を備えるＣ３に記載の方法。
［Ｃ５］
前記スレショルドは、前記隣接するＰＲＢ又は隣接するサブフレームに対する前記受信された信号のリソースブロックグループ（ＲＢＧ）境界の位置に基づいて２つ以上のスレショルドから選択されるＣ４に記載の方法。
［Ｃ６］
バンドリングされるべきであると決定された前記受信された信号の１つ以上のプリコーディングリソースブロックグループ（ＰＲＧ）のチャネル特性を再推定することによって前記チャネル特性の前記推定値を精巧にすることをさらに備えるＣ４に記載の方法。
［Ｃ７］
前記受信された信号のプリコーディングリソースブロックグループ（ＰＲＧ）内に拡張物理ダウンリンク制御チャネル（ＥＰＤＣＣＨ）情報が存在するかどうかを決定することと、
前記ＥＰＤＣＣＨに対応する１つ以上のＰＲＢ対を前記推定することから除外することと、をさらに備えるＣ４に記載の方法。
［Ｃ８］
前記評価することは、前記ＵＥが１つ以上の干渉信号に関するプリコーダリソースバンドリングの存在を説明すべきか又は１つ以上の干渉信号に関するプリコーダリソースバンドリングを無視すべきかどうかを示す表示に関して前記サービス提供基地局又は前記近隣基地局のうちの少なくとも１つからの信号を評価することを備えるＣ１に記載の方法。
［Ｃ９］
前記表示は、
１つ以上の干渉信号に関してプリコーダリソースバンドリングが存在しないことを示す表示、
前記１つ以上の干渉信号のうちの少なくとも過半数に関してプリコーダリソースバンドリングが存在することを示す表示、
２つ以上のサブフレーム内にプリコーダリソースバンドリングが存在することを示す表示、
サブフレームのすべてのプリコーディングリソースブロックグループ（ＰＲＧ）内にプリコーダリソースバンドリングが存在することを示す表示、又は
サブフレームのすべてのプリコーディングリソースブロックグループ（ＰＲＧ）内にプリコーダリソースバンドリングが存在し、及び、ＰＲＧ内において、ランク、プリコーダ、電力レベル、又は変調順序のうちの１つ以上が同一であることを示す表示、のうちの１つ以上を備えるＣ８に記載の方法。
［Ｃ１０］
前記表示は、１つ以上の仮想セル識別（ＶＣＩＤ）のうちの各々に関する１ビットの表示を備え、前記ＵＥが前記１つ以上のＶＣＩＤのうちの１つを用いて信号に関するプリコーダリソースバンドリングの存在を仮定すべきかどうかを示すＣ８に記載の方法。
［Ｃ１１］
前記ＵＥは、調整されたマルチポイント（ＣｏＭＰ）送信に関する構成を含み、前記表示は、干渉信号が前記ＵＥ  ＣｏＭＰ構成と同じ構成を有することを示す表示を備えるＣ８に記載の方法。
［Ｃ１２］
前記表示は、前記ＵＥがプリコーダリソースバンドリングの前記存在を仮定すべき対象となるリソースの部分組を備えるＣ８に記載の方法。
［Ｃ１３］
前記評価することは、前記近隣基地局の１つ以上の識別された変調順序又は１つ以上の識別されたタイプの送信に関してプリコーダリソースバンドリングが存在することを示す表示を前記サービス提供基地局又は前記近隣基地局のうちの少なくとも１つから受信することを備えるＣ１に記載の方法。
［Ｃ１４］
前記評価することは、前記サービス提供基地局から物理ダウンリンク共有チャネル（ＰＤＳＣＨ）許可又は拡張ＰＤＣＣＨ（ＥＰＤＣＣＨ）のうちの少なくとも１つでプリコーダリソースバンドリングの表示を受信することを備えるＣ１に記載の方法。
［Ｃ１５］
前記サブフレームに関するＩＣ／ＩＳ動作を修正することは、復調−基準信号（ＤＭ−ＲＳ）に基づく物理ダウンリンク共有チャネル（ＰＤＳＣＨ）信号の除去をエンハンスすることを備えるＣ１に記載の方法。
［Ｃ１６］
無線通信ユーザ装置（ＵＥ）デバイスであって、
少なくとも１つのプロセッサと、
サービス提供基地局からのサブフレームの送信中に干渉信号を送信するようにスケジューリングされた近隣基地局を識別すること、
前記干渉信号に関してプリコーダリソースバンドリングが使用されるかどうかを評価すること、及び
前記評価することに応じて前記サブフレームに関する干渉除去／干渉抑圧（ＩＣ／ＩＳ）動作を修正することを前記プロセッサに行わせるための前記プロセッサによって実行可能である命令を具現化した前記プロセッサに結合されたメモリと、を備える、無線通信ユーザ装置（ＵＥ）デバイス。
［Ｃ１７］
前記命令は、前記干渉信号内にプリコーダリソースバンドリングが存在することを示す前記サービス提供基地局からの表示が存在しない場合にプリコーダリソースバンドリングを無視するために前記プロセッサによってさらに実行可能であるＣ１６に記載のデバイス。
［Ｃ１８］
前記命令は、
前記近隣基地局から信号を受信し、
前記受信された信号の隣接する物理的リソースブロック（ＰＲＢ）又は隣接するサブフレームのうちの１つ以上に関するチャネル特性を推定し、及び
チャネル推定値の差がスレショルドを下回るときにプリコーダリソースバンドリングが存在すると決定するために前記プロセッサによってさらに実行可能であるＣ１６に記載のデバイス。
［Ｃ１９］
前記スレショルドは、前記隣接するＰＲＢ又は隣接するサブフレームに対する前記受信された信号のリソースブロックグループ（ＲＢＧ）境界の位置に基づいて２つ以上のスレショルドから選択されるＣ１８に記載のデバイス。
［Ｃ２０］
命令は、
前記受信された信号のプリコーディングリソースブロックグループ（ＰＲＧ）内に拡張物理ダウンリンク制御チャネル（ＥＰＤＣＣＨ）情報が存在するかどうかを決定し、及び
前記ＥＰＤＣＣＨに対応する１つ以上のＰＲＢ対を前記推定することから除外するために前記プロセッサによってさらに実行可能であるＣ１８に記載のデバイス。
［Ｃ２１］
前記命令は、前記ＵＥが１つ以上の干渉信号に関するプリコーダリソースバンドリングの存在を説明すべきか又は１つ以上の干渉信号に関するプリコーダリソースバンドリングを無視すべきかどうかを示す表示に関して前記サービス提供基地局又は前記近隣基地局のうちの少なくとも１つからの信号を評価するために前記プロセッサによってさらに実行可能であるＣ１６に記載のデバイス。
［Ｃ２２］
前記表示は、前記ＵＥがプリコーダリソースバンドリングの前記存在を仮定すべき対象となるリソースの部分組を備えるＣ２１に記載のデバイス。
［Ｃ２３］
前記命令は、前記サービス提供基地局から物理ダウンリンク共有チャネル（ＰＤＳＣＨ）許可又は拡張ＰＤＣＣＨ（ＥＰＤＣＣＨ）のうちの少なくとも１つでプリコーダリソースバンドリングの表示を受信するために前記プロセッサによってさらに実行可能であるＣ１６に記載のデバイス。
［Ｃ２４］
前記命令は、復調−基準信号（ＤＭ−ＲＳ）に基づく物理ダウンリンク共有チャネル（ＰＤＳＣＨ）信号の除去をエンハンスするために前記プロセッサによってさらに実行可能であるＣ１６に記載のデバイス。
［Ｃ２５］
ユーザ装置（ＵＥ）によって行われる無線通信のための装置であって、
サービス提供基地局からのサブフレームの送信中に干渉信号を送信するようにスケジューリングされた近隣基地局を識別するための手段と、
前記干渉信号に関してプリコーダリソースバンドリングが使用されるかどうかを評価するための手段と、
前記評価に応じて前記サブフレームに関して干渉除去／干渉抑圧（ＩＣ／ＩＳ）を修正するための手段と、を備える、ユーザ装置（ＵＥ）によって行われる無線通信のための装置。
［Ｃ２６］
評価するための前記手段は、
前記近隣基地局から信号を受信するための手段と、
前記受信された信号の隣接する物理的リソースブロック（ＰＲＢ）又は隣接するサブフレームのうちの１つ以上に関するチャネル特性を推定するための手段と、
チャネル推定値の差がスレショルドを下回るときにプリコーダリソースバンドリングが存在すると決定するための手段と、を備えるＣ２５に記載の装置。
［Ｃ２７］
前記スレショルドは、前記隣接するＰＲＢ又は隣接するサブフレームに対する前記受信信号のリソースブロックグループ（ＲＢＧ）境界の位置に基づいて２つ以上のスレショルドから選択されるＣ２６に記載の装置。
［Ｃ２８］
前記受信された信号のプリコーディングリソースブロックグループ（ＰＲＧ）内に拡張ＰＤＣＣＨ（ＥＰＤＣＣＨ）情報が存在するかどうかを決定するための手段と、前記ＥＰＤＣＣＨに対応する１つ以上のＰＲＢ対を前記推定から除外するための手段と、をさらに備えるＣ２６に記載の装置。
［Ｃ２９］
評価するための前記手段は、
前記サービス提供基地局から物理ダウンリンク共有チャネル（ＰＤＳＣＨ）許可又は拡張ＰＤＣＣＨ（ＥＰＤＣＣＨ）のうちの少なくとも１つでプリコーダリソースバンドリングの表示を受信するための手段を備えるＣ２５に記載の装置。
［Ｃ３０］
ユーザ装置（ＵＥ）によって無線通信を行うためのコンピュータプログラム製品であって、
サービス提供基地局からのサブフレームの送信中に干渉信号を送信するようにスケジューリングされた近隣基地局を識別し、
前記干渉信号に関してプリコーダリソースバンドリングが使用されるかどうかを評価し、及び
前記評価に応じて前記サブフレームに関して干渉除去／干渉抑圧（ＩＣ／ＩＳ）動作を修正するためのプロセッサによって実行可能である命令を格納する非一時的なコンピュータによって読み取り可能な媒体を備える、コンピュータプログラム製品。
【図１】
0006437524.tif 000002
【図２】
0006437524.tif 000003
【図３】
0006437524.tif 000004
【図４】
0006437524.tif 000005
【図５】
0006437524.tif 000006
【図６】
0006437524.tif 000007
【図７】
0006437524.tif 000008
【図８】
0006437524.tif 000009
【図９】
0006437524.tif 000010
【図１０】
0006437524.tif 000011
【図１１】
0006437524.tif 000012
【図１２】
0006437524.tif 000013